(57)【要約】  本発明は、信号送信方法、端末機器およびネットワーク機器を提供する。当該方法は、端末機器が、複数のビームを用いて、ネットワーク機器が当該複数のビームにおいて目的ビームを決定するための第１の信号を送信するステップと、当該端末機器が、当該ネットワーク機器により送信された、当該ネットワーク機器により決定された当該目的ビームを当該端末機器に報知するための報知メッセージを受信するステップと、当該端末機器が、当該目的ビームを用いて第２の信号を送信するステップとを含む。本発明による端末機器は、複数のビームを用いて第１の信号を送信することで、ネットワーク機器が、端末機器が第２の信号を伝送するためのビームフォーミング利得の高い目的ビームを決定するため、信号の伝送品質が向上する。
2020502831.tif 000002
【特許請求の範囲】
【請求項１】
信号送信方法であって、
端末機器が、複数のビームを用いて、ネットワーク機器が前記複数のビームにおいて目的ビームを決定するための第１の信号を送信するステップと、
前記端末機器が、前記ネットワーク機器により送信された、前記ネットワーク機器により決定された前記目的ビームを前記端末機器に報知するための報知メッセージを受信するステップと、
前記端末機器が、前記目的ビームを用いて第２の信号を送信するステップと
を含むことを特徴とする信号送信方法。
【請求項２】
前記方法は、
前記端末機器が、前記端末機器に対応可能なビーム数Ｎ（ただしＮは２以上の正の整数である）を指示する第１の指示情報を前記ネットワーク機器に送信するステップと、
前記端末機器が、前記ネットワーク機器により送信された、前記ネットワーク機器がＮ個のビームに対して設定したビーム識別ＩＤが付随される第２の指示情報を受信するステップと
をさらに含み、
前記端末機器が複数のビームを用いて第１の信号を送信する前記ステップは、前記端末機器が前記ビーム識別ＩＤに基づき、前記Ｎ個のビームを用いて前記第１の信号を送信することを含む、
ことを特徴とする請求項１に記載の方法。
【請求項３】
前記第２の指示情報には、ビームＩＤと時間周波数リソースとのマッピング関係も付随され、
前記端末機器が前記ビーム識別ＩＤに基づき、前記Ｎ個のビームを用いて前記第１の信号を送信するステップは、前記端末機器が前記ビーム識別ＩＤおよびビームＩＤと時間周波数リソースとの前記マッピング関係に基づき、前記Ｎ個のビームを用いて前記第１の信号を送信することを含む、
ことを特徴とする請求項２に記載の方法。
【請求項４】
前記第１の信号には、ビームのビームＩＤが付随され、
前記端末機器がネットワーク機器により送信された報知メッセージを受信する前記ステップは、前記端末機器が、前記ネットワーク機器により送信された、前記目的ビームのビームＩＤが付随される前記報知メッセージを受信することを含む、
ことを特徴とする請求項１に記載の方法。
【請求項５】
前記方法は、前記端末機器が、前記端末機器と前記ネットワーク機器との間の遅延を指示するためのタイミングアドバンス（ＴＡ）値を取得するステップをさらに含み、
前記端末機器が複数のビームを用いて第１の信号を送信する前記ステップは、前記端末機器が前記ＴＡ値に基づき、前記複数のビームを用いて前記第１の信号を送信することを含む、
ことを特徴とする請求項１〜４のいずれか１項に記載の方法。
【請求項６】
信号送信方法であって、
ネットワーク機器が、端末機器が複数のビームを用いて送信した第１の信号を受信するステップと、
前記ネットワーク機器が前記第１の信号に基づき、前記複数のビームにおいて目的ビームを決定するステップと、
前記ネットワーク機器が、前記ネットワーク機器により決定された前記目的ビームを前記端末機器に報知するための報知メッセージを前記端末機器に送信するステップと
を含むことを特徴とする信号送信方法。
【請求項７】
前記ネットワーク機器が、端末機器が複数のビームを用いて送信した第１の信号を受信する前に、前記方法はさらに、
前記ネットワーク機器が、前記端末機器により送信された、前記端末機器に対応可能なビーム数Ｎ（ただしＮは２以上の正の整数である）を指示するための第１の指示情報を受信するステップと、
前記ネットワーク機器が前記第１の指示情報に基づき、Ｎ個のビームにおけるそれぞれのビームに対してビーム識別ＩＤを設定するステップと、
前記ネットワーク機器が、前記Ｎ個のビームのビームＩＤが付随される第２の指示情報を前記端末機器に送信するステップと
を含むことを特徴とする請求項６に記載の方法。
【請求項８】
前記方法は、前記ネットワーク機器が、ビームＩＤと時間周波数リソースとのマッピング関係を決定するステップをさらに含み、
前記ネットワーク機器が前記端末機器に第２の指示情報を送信する前記ステップは、前記端末機器が、ビームＩＤと時間周波数リソースとの前記マッピング関係が付随される前記第２の指示情報を前記ネットワーク機器に送信することを含む、
ことを特徴とする請求項７に記載の方法。
【請求項９】
前記第１の信号には、ビームのビームＩＤが付随され、
前記ネットワーク機器が前記第１の信号に基づき、前記複数のビームにおいて目的ビームを決定する前記ステップは、前記ネットワーク機器が前記第１の信号に基づき、前記複数のビームのビームＩＤにおいて前記目的ビームのビームＩＤを決定することを含み、
前記ネットワーク機器が前記端末機器に報知メッセージを送信する前記ステップは、前記ネットワーク機器が前記目的ビームのビームＩＤが付随される前記報知メッセージを前記端末機器に送信することを含む、
ことを特徴とする請求項６に記載の方法。
【請求項１０】
前記方法は、前記ネットワーク機器が、前記ネットワーク機器と前記端末機器との間の遅延を指示するためのＴＡ値を前記端末機器に送信するステップをさらに含む、
ことを特徴とする請求項６〜９のいずれか１項に記載の方法。
【請求項１１】
信号送信方法であって、
端末機器が、前記端末機器に対応可能なビーム数Ｎ（ただしＮは１以上の正の整数である）を指示する第１の指示情報をネットワーク機器に送信するステップと、
前記端末機器が、前記ネットワーク機器により送信された、前記ネットワーク機器がＮ個のビームに対して設定したビーム識別ＩＤが付随される第２の指示情報を受信するステップと、
前記端末機器が、前記第２の指示情報に基づき、前記Ｎ個のビームを用いて第１の信号を送信するステップと
を含むことを特徴とする信号送信方法。
【請求項１２】
前記第２の指示情報には、ビームＩＤと時間周波数リソースとのマッピング関係も付随されることを特徴とする請求項１１に記載の方法。
【請求項１３】
前記方法は、前記端末機器が、前記端末機器と前記ネットワーク機器との間の遅延を指示するためのタイミングアドバンス（ＴＡ）値を取得するステップをさらに含み、
前記端末機器が前記Ｎ個のビームを用いて第１の信号を送信する前記ステップは、前記端末機器が前記ＴＡ値に基づき、前記Ｎ個のビームを用いて第１の信号を送信することを含む、
ことを特徴とする請求項１１または１２に記載の方法。
【請求項１４】
信号送信方法であって、
ネットワーク機器が、端末機器により送信された、前記端末機器に対応可能なビーム数Ｎ（ただしＮは１以上の正の整数である）を指示するための第１の指示情報を受信するステップと、
前記ネットワーク機器がＮ個のビームにおけるそれぞれのビームに対してビーム識別ＩＤを設定するステップと、
前記ネットワーク機器が、前記ビーム識別ＩＤが付随される第２の指示情報を前記端末機器に送信するステップと、
を含むことを特徴とする信号送信方法。
【請求項１５】
前記方法は、前記ネットワーク機器がビームＩＤと時間周波数リソースとのマッピング関係を決定するステップをさらに含み、
前記ネットワーク機器が前記端末機器に第２の指示情報を送信する前記ステップは、前記ネットワーク機器が、ビームＩＤと時間周波数リソースとの前記マッピング関係も付随される第２の指示情報を前記端末機器に送信することを含む、
ことを特徴とする請求項１４に記載の方法。
【請求項１６】
前記方法は、前記ネットワーク機器が、前記ネットワーク機器と前記端末機器との間の遅延を指示するためのＴＡ値を前記端末機器に送信するステップをさらに含むことを特徴とする請求項１４または１５に記載の方法。
【請求項１７】
端末機器であって、
複数のビームを用いて、ネットワーク機器が前記複数のビームにおいて目的ビームを決定するための第１の信号を送信するための送信モジュールと、
前記ネットワーク機器により送信された、前記ネットワーク機器により決定された前記目的ビームを前記端末機器に報知するための報知メッセージを受信するための受信モジュールと
を含み、
前記送信モジュールがさらに、前記目的ビームを用いて第２の信号を送信する、
ことを特徴とする端末機器。
【請求項１８】
前記送信モジュールはさらに、前記端末機器に対応可能なビーム数Ｎ（ただしＮは２以上の正の整数である）を指示するための第１の指示情報を前記ネットワーク機器に送信するのに用いられ、
前記受信モジュールはさらに、前記ネットワーク機器により送信された、前記ネットワーク機器がＮ個のビームに対して設定したビーム識別ＩＤが付随される第２の指示情報を受信するのに用いられ、
前記送信モジュールは具体的に、前記ビーム識別ＩＤに基づき、前記Ｎ個のビームを用いて前記第１の信号を送信するのに用いられる、
ことを特徴とする請求項１７に記載の機器。
【請求項１９】
前記第２の指示情報には、ビームＩＤと時間周波数リソースとのマッピング関係も付随され、
前記送信モジュールは具体的に、前記ビーム識別ＩＤおよびビームＩＤと時間周波数リソースとの前記マッピング関係に基づき、前記Ｎ個のビームを用いて前記第１の信号を送信するのに用いられる、
ことを特徴とする請求項１８に記載の機器。
【請求項２０】
前記第１の信号には、ビームのビームＩＤが付随され、
前記受信モジュールは具体的に、前記ネットワーク機器により送信された、前記目的ビームのビームＩＤが付随される前記報知メッセージを受信するのに用いられる、
ことを特徴とする請求項１７に記載の機器。
【請求項２１】
前記受信モジュールはさらに、前記端末機器と前記ネットワーク機器との間の遅延を指示するためのタイミングアドバンス（ＴＡ）値を取得するのに用いられ、
前記送信モジュールは、前記ＴＡ値に基づき、前記複数のビームを用いて前記第１の信号を送信するのに用いられる、
ことを特徴とする請求項１７〜２０のいずれか１項に記載の機器。
【請求項２２】
信号を送信するネットワーク機器であって、
端末機器が複数のビームを用いて送信した第１の信号を受信するための受信モジュールと、
前記受信モジュールにより受信された第１の信号に基づき、前記複数のビームにおいて目的ビームを決定するための処理モジュールと、
前記ネットワーク機器により決定された前記目的ビームを前記端末機器に報知するための報知メッセージを前記端末機器に送信するための送信モジュールと
を含むことを特徴とするネットワーク機器。
【請求項２３】
前記ネットワーク機器が、端末機器が複数のビームを用いて送信した第１の信号を受信する前に、前記受信モジュールはさらに、前記端末機器により送信された、前記端末機器に対応可能なビーム数Ｎ（ただしＮは２以上の正の整数である）を指示するための第１の指示情報を受信するのに用いられる、
前記処理モジュールはさらに、前記第１の指示情報に基づき、Ｎ個のビームにおけるそれぞれのビームに対してビーム識別ＩＤを設定するのに用いられ、
前記送信モジュールはさらに、前記Ｎ個のビームのビームＩＤが付随される第２の指示情報を前記端末機器に送信するのに用いられる、
ことを特徴とする請求項２２に記載の機器。
【請求項２４】
前記処理モジュールはさらに、ビームＩＤと時間周波数リソースとのマッピング関係を決定するのに用いられ、
前記送信モジュールは具体的に、ビームＩＤと時間周波数リソースとのマッピング関係も付随される前記第２の指示情報を前記端末機器に送信するのに用いられる、
ことを特徴とする請求項２３に記載の機器。
【請求項２５】
前記第１の信号には、ビームのビームＩＤが付随され、
前記処理モジュールは、前記第１の信号に基づき、前記複数のビームのビームＩＤにおいて前記目的ビームのビームＩＤを決定するのに用いられ、
前記送信モジュールは具体的に、前記目的ビームのビームＩＤが付随される前記報知メッセージを前記端末機器に送信する、
ことを特徴とする請求項２２に記載の機器。
【請求項２６】
前記送信モジュールはさらに、前記ネットワーク機器と前記端末機器との間の遅延を指示するためのＴＡ値を前記端末機器に送信するのに用いられる、
ことを特徴とする請求項２２〜２５のいずれか１項に記載の機器。
【請求項２７】
信号を送信する端末機器であって、
前記端末機器に対応可能なビーム数Ｎ（ただしＮは１以上の正の整数である）を指示するための第１の指示情報をネットワーク機器に送信するための送信モジュールと、
前記ネットワーク機器により送信された、前記ネットワーク機器がＮ個のビームに対して設定したビーム識別ＩＤが付随される第２の指示情報を受信するための受信モジュールと
を含み、
前記送信モジュールはさらに、前記第２の指示情報に基づき、前記Ｎ個のビームを用いて第１の信号を送信するのに用いられる、
ことを特徴とする端末機器。
【請求項２８】
前記第２の指示情報には、ビームＩＤと時間周波数リソースとのマッピング関係も付随されることを特徴とする請求項２７に記載の機器。
【請求項２９】
前記受信モジュールはさらに、前記端末機器と前記ネットワーク機器との間の遅延を指示するためのタイミングアドバンス（ＴＡ）値を取得し、
前記送信モジュールは、前記ＴＡ値に基づき、前記Ｎ個のビームを用いて第１の信号を送信する、
ことを特徴とする請求項２７または２８に記載の機器。
【請求項３０】
信号を送信するネットワーク機器であって、
端末機器により送信された、前記端末機器に対応可能なビーム数Ｎ（ただしＮは１以上の正の整数である）を指示する第１の指示情報を受信するための受信モジュールと、
Ｎ個のビームにおけるそれぞれのビームに対してビーム識別ＩＤを設定するための処理モジュールと、
前記ビーム識別ＩＤが付随される第２の指示情報を前記端末機器に送信するための送信モジュールと
を含むことを特徴とするネットワーク機器。
【請求項３１】
前記処理モジュールはさらに、ビームＩＤと時間周波数リソースとのマッピング関係を決定するのに用いられ、
前記送信モジュールは具体的に、ビームＩＤと時間周波数リソースとの前記マッピング関係も付随される前記第２の指示情報を前記端末機器に送信するのに用いられる、
ことを特徴とする請求項３０に記載の機器。
【請求項３２】
前記送信モジュールはさらに、前記ネットワーク機器と前記端末機器との間の遅延を指示するためのＴＡ値を前記端末機器に送信するのに用いられる、
ことを特徴とする請求項３０または３１に記載の機器。
【発明の詳細な説明】
【技術分野】
【０００１】
本発明は、通信の分野に関し、より詳しくは、信号送信方法、端末機器およびネットワーク機器に関する。
【背景技術】
【０００２】
マルチ入出力（Ｍｕｌｔｉｐｌｅ−Ｉｎｐｕｔ Ｍｕｌｔｉｐｌｅ−Ｏｕｔｐｕｔ、ＭＩＭＯ）技術は、ロングタームエボリューション（Ｌｏｎｇ Ｔｅｒｍ Ｅｖｏｌｕｔｉｏｎ、ＬＴＥ）システムのコア技術の一つであり、システムの伝送速度を大幅に向上させることができる。ビームフォーミングは、アレイアンテナに基づく信号前処理技術であり、各アンテナ素子上の送信信号の重みを調整することにより、指向性を有するビームを生成するものである。
【０００３】
従来技術では、端末機器が、一般的にビームを任意に選択して信号の伝送に用いるため、必ずしもビームフォーミング利得の高いビームが選択されるわけではなく、信号の伝送品質が保証されないという問題点があった。
【発明の概要】
【発明が解決しようとする課題】
【０００４】
本発明は、上記従来技術の問題点を解決するためになされるものであり、信号送信方法、端末機器およびネットワーク機器を提供し、端末機器がビームフォーミング利得の高いビームを用いて信号を伝送し、信号の伝送品質を向上させることができる。
【０００５】
本発明の第１の態様として、信号送信方法を提供する。当該方法は、端末機器が、複数のビームを用いて、ネットワーク機器が当該複数のビームにおいて目的ビームを決定するための第１の信号を送信するステップと、当該端末機器が、当該ネットワーク機器により送信された、当該ネットワーク機器により決定された目的ビームを当該端末機器に報知するための報知メッセージを受信するステップと、当該端末機器が、当該目的ビームを用いて第２の信号を送信するステップとを含む。
【０００６】
端末機器は複数のビームを用いてネットワーク機器が目的ビームを決定するための第１の信号を送信し、且つネットワーク機器により送信された、決定された目的ビームを端末機器に報知するための報知メッセージを受信し、当該目的ビームを用いて第２の信号を送信することにより、端末機器が複数のビームを用いて第１の信号を送信することで、ネットワーク機器は端末機器が第２の信号を伝送するためのビームフォーミング利得の高い目的ビームを決定するため、信号の伝送品質が向上する。
【０００７】
さらなる可能な実施形態において、当該方法は、当該端末機器が、当該端末機器に対応可能なビーム数Ｎ（ただしＮは２以上の正の整数である）を指示する第１の指示情報を当該ネットワーク機器に送信するステップと、当該端末機器が、当該ネットワーク機器により送信された、当該ネットワーク機器がＮ個のビームに対して設定したビーム識別ＩＤが付随される第２の指示情報を受信するステップとをさらに含み、当該端末機器が複数のビームを用いて第１の信号を送信する前記ステップは、当該端末機器が当該ビーム識別ＩＤに基づき、当該Ｎ個のビームを用いて当該第１の信号を送信することを含む。
【０００８】
端末機器が、対応可能なビーム数の最大値をネットワーク機器に送信し、且つネットワーク機器の設定したビームＩＤに対応するビームに基づき第１の信号を送信することにより、ビーム利用率を向上させる。
【０００９】
さらなる可能な実施形態において、当該第２の指示情報には、ビームＩＤと時間周波数リソースとのマッピング関係も付随され、当該端末機器が当該ビーム識別ＩＤに基づき、当該Ｎ個のビームを用いて当該第１の信号を送信することは、当該端末機器が当該ビーム識別ＩＤおよびビームＩＤと時間周波数リソースとの当該マッピング関係に基づき、当該Ｎ個のビームを用いて当該第１の信号を送信することを含む。
【００１０】
端末機器が、ネットワーク機器により指示された時間周波数リソースに基づき、ネットワーク機器に第１の信号を送信することにより、輻輳する時間周波数リソースを使用するためビームの測定を行う時に生じる干渉を軽減することができる。
【００１１】
さらなる可能な実施形態において、当該第１の信号にビームのビームＩＤが付随され、当該端末機器がネットワーク機器により送信された報知メッセージを受信する前記ステップは、当該端末機器が、当該ネットワーク機器により送信された、当該目的ビームのビームＩＤが付随される当該報知メッセージを受信することを含む。
【００１２】
端末機器がそれぞれのビームに対してビームＩＤを設定することにより、ネットワーク機器はビームＩＤに基づき異なるビームを区別して、目的ビームを決定することができる。
【００１３】
さらなる可能な実施形態において、当該方法は、当該端末機器が、当該端末機器と当該ネットワーク機器との間の遅延を指示するタイミングアドバンス（ＴＡ）値を取得するステップをさらに含み、当該端末機器が複数のビームを用いて第１の信号を送信する前記ステップは、当該端末機器が当該ＴＡ値に基づき、当該複数のビームを用いて当該第１の信号を送信することを含む。
【００１４】
端末機器がＴＡ値に基づき信号を送信することにより、端末機器とネットワーク機器との間における信号伝送の品質をさらに向上させることができる。
【００１５】
本発明の第２の態様として、信号送信方法を提供する。当該方法は、ネットワーク機器が、端末機器が複数のビームを用いて送信した第１の信号を受信するステップと、当該ネットワーク機器が当該第１の信号に基づき、当該複数のビームにおいて目的ビームを決定するステップと、当該ネットワーク機器が、当該ネットワーク機器により決定された当該目的ビームを当該端末機器に報知するための報知メッセージを当該端末機器に送信するステップとを含む。
【００１６】
ネットワーク機器が、端末機器が複数のビームを用いて送信した第１の信号を受信し、当該第１の信号に基づき目的ビームを決定し、且つ決定された目的ビームを端末機器に報知するための報知メッセージを端末機器に送信して、端末機器は当該目的ビームを用いて第２の信号を送信することにより、ネットワーク機器は端末機器が複数のビームを用いて送信した第１の信号に基づき、ビームフォーミング利得の高い目的ビームを決定し、端末機器は該目的ビームに基づき第２の信号を送信するため、信号の伝送品質が向上する。
【００１７】
さらなる可能な実施形態において、当該ネットワーク機器が、端末機器が複数のビームを用いて送信した第１の信号を受信する前に、当該方法は、当該ネットワーク機器が、当該端末機器により送信された、当該端末機器に対応可能なビーム数Ｎ（ただしＮは２以上の正の整数である）を指示する第１の指示情報を受信するステップと、当該ネットワーク機器が当該第１の指示情報に基づき、Ｎ個のビームにおけるそれぞれのビームに対してビーム識別ＩＤを設定するステップと、当該ネットワーク機器が、当該Ｎ個のビームのビームＩＤが付随される第２の指示情報を端末機器に送信するステップとをさらに含む。
【００１８】
ネットワーク機器が、端末機器が送信した端末機器に対応可能なビーム数の最大値を受信し、且つビームＩＤを設定することにより、端末機器はビームＩＤに対応するビームに基づき第１の信号を送信するため、ビーム利用率が向上する。
【００１９】
さらなる可能な実施形態において、当該方法は、当該ネットワーク機器が、ビームＩＤと時間周波数リソースとのマッピング関係を決定するステップをさらに含み、当該ネットワーク機器が当該端末機器に第２の指示情報を送信する前記ステップは、当該端末機器が、ビームＩＤと時間周波数リソースとの当該マッピング関係も付随される当該第２の指示情報を当該ネットワーク機器に送信することを含む。
【００２０】
ネットワーク機器がビームＩＤと時間周波数リソースとのマッピング関係を決定し、且つ端末機器に報知することにより、端末機器はネットワーク機器により指示された時間周波数リソースに基づきネットワーク機器に第１の信号を送信するため、輻輳する時間周波数リソースを使用するためビームの測定を行う時に生じる干渉を軽減することができる。
【００２１】
さらなる可能な実施形態において、当該第１の信号にビームのビームＩＤが付随され、当該ネットワーク機器が当該第１の信号に基づき、当該複数のビームにおいて目的ビームを決定する前記ステップは、当該ネットワーク機器が当該第１の信号に基づき、当該複数のビームのビームＩＤにおいて当該目的ビームのビームＩＤを決定することを含み、当該ネットワーク機器が当該端末機器に報知メッセージを送信する前記ステップは、当該ネットワーク機器が当該目的ビームのビームＩＤが付随される当該報知メッセージを当該端末機器に送信することを含む。
【００２２】
ネットワーク機器は、端末機器がそれぞれのビームに対して設定したビームＩＤに基づき、異なるビームを区別して、目的ビームを決定することができる。
【００２３】
さらなる可能な実施形態において、当該方法は、当該ネットワーク機器が、当該ネットワーク機器と当該端末機器との間の遅延を指示するＴＡ値を端末機器に送信するステップをさらに含む。
【００２４】
ネットワーク機器が端末機器にＴＡ値を送信することにより、端末機器がＴＡ値に基づき信号を送信するため、端末機器とネットワーク機器との間における信号伝送の品質をさらに向上させることができる。
【００２５】
本発明の第３の態様として、信号送信方法を提供する。当該方法は、端末機器が、端末機器に対応可能なビーム数Ｎ（ただしＮは１以上の正の整数である）を指示する第１の指示情報をネットワーク機器に送信するステップと、当該端末機器が、当該ネットワーク機器により送信された、当該ネットワーク機器がＮ個のビームに対して設定したビーム識別ＩＤが付随される第２の指示情報を受信するステップと、当該端末機器が、当該第２の指示情報に基づき、当該Ｎ個のビームを用いて第１の信号を送信するステップとを含む。
【００２６】
端末機器に対応可能なビーム数Ｎをネットワーク機器に報告することにより、ネットワーク機器はＮ個のビームに対してビームＩＤを設定し、且つ当該ビームＩＤが付随される第１の指示情報を端末機器に送信し、端末機器はビームＩＤに基づきネットワーク機器に第１の信号を送信して、端末機器はネットワーク機器の指示に基づき端末機器に対応可能なビーム数を用いて信号を送信するため、ビーム利用率が向上する。
【００２７】
さらなる可能な実施形態において、当該第２の指示情報には、ビームＩＤと時間周波数リソースとのマッピング関係も付随される。
【００２８】
さらなる可能な実施形態において、当該方法は、当該端末機器が、当該端末機器と当該ネットワーク機器との間の遅延を指示するタイミングアドバンス（ＴＡ）値を取得するステップをさらに含み、当該端末機器が当該Ｎ個のビームを用いて第１の信号を送信する前記ステップは、当該端末機器が当該ＴＡ値に基づき、当該Ｎ個のビームを用いて第１の信号を送信することを含む。
【００２９】
第４の態様として、信号送信方法を提供する。当該方法は、ネットワーク機器が、端末機器により送信された、当該端末機器に対応可能なビーム数Ｎ（ただしＮは１以上の正の整数である）を指示する第１の指示情報を受信するステップと、当該ネットワーク機器がＮ個のビームにおけるそれぞれのビームに対してビーム識別ＩＤを設定するステップと、当該ネットワーク機器が、当該ビーム識別ＩＤが付随される第２の指示情報を当該端末機器に送信するステップとを含む。
【００３０】
端末機器により報告された対応可能なビーム数Ｎを受信し、Ｎ個のビームに対してビームＩＤを設定し、且つ当該ビームＩＤが付随される第１の指示情報を端末機器に送信することにより、端末機器はビームＩＤに基づきネットワーク機器に第１の信号を送信して、端末機器はネットワーク機器の指示に基づき端末機器に対応可能なビーム数で信号を送信するため、ビーム利用率が向上する。
【００３１】
さらなる可能な実施形態において、当該方法は、当該ネットワーク機器がビームＩＤと時間周波数リソースとのマッピング関係を決定するステップをさらに含み、当該ネットワーク機器が当該端末機器に第２の指示情報を送信する前記ステップは、当該ネットワーク機器が、ビームＩＤと時間周波数リソースとのマッピング関係も付随される当該第２の指示情報を当該端末機器に送信することを含む。
【００３２】
さらなる可能な実施形態において、当該方法は、当該ネットワーク機器が、当該ネットワーク機器と当該端末機器との間の遅延を指示するＴＡ値を当該端末機器に送信するステップをさらに含む。
【００３３】
本発明の第５の態様として、端末機器を提供する。当該端末機器は、本発明の第１の態様による方法、または第１の態様に係る任意の可能な実施形態を実行するための各モジュールを含む。
【００３４】
本発明の第６の態様として、ネットワーク機器を提供する。当該ネットワーク機器は、本発明の第２の態様による方法、または第２の態様に係る任意の可能な実施形態を実行するための各モジュールを含む。
【００３５】
本発明の第７の態様として、端末機器を提供する。当該端末機器は、本発明の第３の態様による方法、または第３の態様に係る任意の可能な実施形態を実行するための各モジュールを含む。
【００３６】
本発明の第８の態様として、ネットワーク機器を提供する。当該ネットワーク機器は、本発明の第４の態様による方法、または第４の態様に係る任意の可能な実施形態を実行するための各モジュールを含む。
【００３７】
本発明の第９の態様として、通信システムを提供する。当該通信システムは、本発明の第５の態様による端末機器と、本発明の第６の態様によるネットワーク機器とを含む。
【００３８】
本発明の第１０の態様として、通信システムを提供する。当該通信システムは、本発明の第７の態様による端末機器と、本発明の第８の態様によるネットワーク機器とを含む。
【００３９】
本発明の第１１の態様として、端末機器を提供する。当該端末機器は、プロセッサと、メモリとを含み、
前記メモリにプログラムが記憶され、前記プロセッサは、前記プログラムを実行することで、本発明の第１の態様、または第１の態様に係る任意の可能な実施形態による信号送信方法を実行する。
【００４０】
本発明の第１２の態様として、ネットワーク機器を提供する。当該ネットワーク機器は、プロセッサと、メモリとを含み、
前記メモリにプログラムが記憶され、前記プロセッサは、前記プログラムを実行することで、本発明の第２の態様、または第２の態様に係る任意の可能な実施形態による信号送信方法を実行する。
【００４１】
本発明の第１３の態様として、端末機器を提供する。当該端末機器は、プロセッサと、メモリとを含み、
前記メモリにプログラムが記憶され、前記プロセッサは、前記プログラムを実行することで、本発明の第３の態様、または第３の態様に係る任意の可能な実施形態による信号送信方法を実行する。
【００４２】
本発明の第１４の態様として、ネットワーク機器を提供する。当該ネットワーク機器は、プロセッサと、メモリとを含み、
前記メモリにプログラムが記憶され、前記プロセッサは、前記プログラムを実行することで、本発明の第４の態様、または第４の態様に係る任意の可能な実施形態による信号送信方法を実行する。
【００４３】
本発明の第１５の態様として、コンピュータ記憶媒体を提供する。当該コンピュータ記憶媒体には、本発明の第１の態様、または第１の態様に係る任意の可能な実施形態による信号送信方法を実行するよう指示するためのプログラムコードが記憶される。
【００４４】
本発明の第１６の態様として、コンピュータ記憶媒体を提供する。当該コンピュータ記憶媒体には、本発明の第２の態様、または第２の態様に係る任意の可能な実施形態による信号送信方法を実行するよう指示するためのプログラムコードが記憶される。
【００４５】
本発明の第１７の態様として、コンピュータ記憶媒体を提供する。当該コンピュータ記憶媒体には、本発明の第３の態様、または第３の態様に係る任意の可能な実施形態による信号送信方法を実行するよう指示するためのプログラムコードが記憶される。
【００４６】
本発明の第１８の態様として、コンピュータ記憶媒体を提供する。当該コンピュータ記憶媒体には、本発明の第４の態様、または第４の態様に係る任意の可能な実施形態による信号送信方法を実行するよう指示するためのプログラムコードが記憶される。
【発明の効果】
【００４７】
上記のように構成される発明において、端末機器が複数のビームを用いて第１の信号を送信し、ネットワーク機器が第１の信号に基づき複数のビームにおいて目的ビームを決定し、且つ決定された目的ビームを端末機器に報知するための報知メッセージを端末機器に送信し、端末機器が該目的ビームを用いて第２の信号を送信することにより、端末機器が複数のビームを用いて第１の信号を送信して、ネットワーク機器は端末機器が第２の信号を伝送するためのビームフォーミング利得の高い目的ビームを決定するため、信号の伝送品質が向上する。
【図面の簡単な説明】
【００４８】
本願の実施例に係る発明を明瞭に説明するために、以下、実施例または従来技術の説明に用いられる図面を簡単に説明する。当然ながら、以下の説明に係る図は、本発明の一部の実施例に過ぎず、当業者は創造的な作業を行うことなく、これらの図からその他の図を得ることもできる。
【００４９】
【図１】本発明の実施例における一つの応用場面を概略的に示す図である。
【図２】本発明の一実施例による信号送信方法を概略的に示す図である。
【図３】本発明のもう一つの実施例による信号送信方法を概略的に示す図である。
【図４】本発明の一実施例による信号送信方法のプロセスを概略的に示す図である。
【図５】本発明のもう一つの実施例による信号送信方法のプロセスを概略的に示す図である。
【図６】本発明の実施例による端末機器を概略的に示すブロック図である。
【図７】本発明の一実施例によるネットワーク機器を概略的に示すブロック図である。
【図８】本発明の一実施例による端末機器を概略的に示すブロック図である。
【図９】本発明の一実施例によるネットワーク機器を概略的に示すブロック図である。
【図１０】本発明の一実施例による信号送信システムを概略的に示すブロック図である。
【図１１】本発明のもう一つの実施例による信号送信システムを概略的に示すブロック図である。
【図１２】本発明の一実施例による端末機器の構造を概略的に示す図である。
【図１３】本発明の一実施例によるネットワーク機器の構造を概略的に示す図である。
【図１４】本発明の一実施例による端末機器の構造を概略的に示す図である。
【図１５】本発明の一実施例によるネットワーク機器の構造を概略的に示す図である。
【発明を実施するための形態】
【００５０】
本発明の実施例における図を参照しながら、各実施例による発明を明瞭かつ完全に説明する。当然ながら、説明される実施例は、本発明の全ての実施例ではなく、その一部に過ぎない。当業者がこれらの実施例に基づき、創造的な作業を行うことなく得られるその他の全ての実施例は、いずれも本発明の保護範囲に含まれる。
【００５１】
本願の実施例に係る発明は、グローバル移動体通信（Ｇｌｏｂａｌ Ｓｙｓｔｅｍ ｏｆ Ｍｏｂｉｌｅ ｃｏｍｍｕｎｉｃａｔｉｏｎ、略称ＧＳＭ）システム、符号分割多元接続（Ｃｏｄｅ Ｄｉｖｉｓｉｏｎ Ｍｕｌｔｉｐｌｅ Ａｃｃｅｓｓ、略称ＣＤＭＡ）システム、広帯域符号分割多元接続（Ｗｉｄｅｂａｎｄ Ｃｏｄｅ Ｄｉｖｉｓｉｏｎ Ｍｕｌｔｉｐｌｅ Ａｃｃｅｓｓ、略称ＷＣＤＭＡ）システム、汎用パケット無線サービス（Ｇｅｎｅｒａｌ Ｐａｃｋｅｔ Ｒａｄｉｏ Ｓｅｒｖｉｃｅ、略称ＧＰＲＳ）、ロングタームエボリューション（Ｌｏｎｇ Ｔｅｒｍ Ｅｖｏｌｕｔｉｏｎ、略称ＬＴＥ）システム、ＬＴＥ周波数分割複信（Ｆｒｅｑｕｅｎｃｙ Ｄｉｖｉｓｉｏｎ Ｄｕｐｌｅｘ、略称ＦＤＤ）システム、ＬＴＥ時分割複信（Ｔｉｍｅ Ｄｉｖｉｓｉｏｎ Ｄｕｐｌｅｘ、略称ＴＤＤ）システム、ユニバーサル移動体通信システム（Ｕｎｉｖｅｒｓａｌ Ｍｏｂｉｌｅ Ｔｅｌｅｃｏｍｍｕｎｉｃａｔｉｏｎ Ｓｙｓｔｅｍ、略称ＵＭＴＳ）、ワイマックス（Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、略称ＷｉＭＡＸ）システム等既存の通信システム、これから登場する第５世代移動通信（５ｔｈ Ｇｅｎｅｒａｔｉｏｎ、以下５Ｇという）システムなど様々な通信システムに用いることができる。
【００５２】
特に、本願の実施例による発明は、非直交多元接続技術に基づく様々な通信システム、例えば、散在符号多重接続（Ｓｐａｒｓｅ Ｃｏｄｅ Ｍｕｌｔｉｐｌｅ Ａｃｃｅｓｓ、略称ＳＣＭＡ）システム、低密度シグネチャ（Ｌｏｗ Ｄｅｎｓｉｔｙ Ｓｉｇｎａｔｕｒｅ、略称ＬＤＳ）システム等に用いることができ、ＳＣＭＡシステムおよびＬＤＳシステムは通信分野でその他の名称で称されることもある。また、本願の実施形態に係る発明は、非直交多元接続技術を用いたマルチキャリア伝送システム、例えば、非直交多元接続技術を用いる直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、略称ＯＦＤＭ）、フィルタバンクマルチキャリア（Ｆｉｌｔｅｒ Ｂａｎｋ Ｍｕｌｔｉ−Ｃａｒｒｉｅｒ、略称ＦＢＭＣ）、汎用周波数分割多重（Ｇｅｎｅｒａｌｉｚｅｄ Ｆｒｅｑｕｅｎｃｙ Ｄｉｖｉｓｉｏｎ Ｍｕｌｔｉｐｌｅｘｉｎｇ、略称ＧＦＤＭ）、フィルター処理された直交周波数分割多重（Ｆｉｌｔｅｒｅｄ−ＯＦＤＭ、略称Ｆ−ＯＦＤＭ）システム等に用いることができる。
【００５３】
本発明の実施例による端末機器は、ユーザ機器（Ｕｓｅｒ Ｅｑｕｉｐｍｅｎｔ、略称ＵＥ）、アクセス端末、加入者ユニット、加入者局、移動局、遠隔局、遠隔端末、移動機器、ユーザ端末、端末、無線通信機器、ユーザ代理機器、またはユーザ装置であってもよい。そのうちアクセス端末は、セルラーホン、コードレス電話、セッション開始プロトコル（Ｓｅｓｓｉｏｎ Ｉｎｉｔｉａｔｉｏｎ Ｐｒｏｔｏｃｏｌ、略称ＳＩＰ）電話、無線ローカルループ（Ｗｉｒｅｌｅｓｓ Ｌｏｃａｌ Ｌｏｏｐ、略称ＷＬＬ）局、携帯情報端末（Ｐｅｒｓｏｎａｌ Ｄｉｇｉｔａｌ Ａｓｓｉｓｔａｎｔ、略称ＰＤＡ）、無線通信機能を備えるハンドヘルド機器、コンピューティング機器、無線モデムに接続されたその他の処理機器、車載機器、ウェアラブル端末、５Ｇネットワークで動作する端末機器または進化型地上波公共移動通信ネットワーク（Ｐｕｂｌｉｃ Ｌａｎｄ Ｍｏｂｉｌｅ Ｎｅｔｗｏｒｋ、略称ＰＬＭＮ）で動作する端末機器等であってもよく、本発明は特に限定しない。
【００５４】
本発明の実施例によるネットワーク機器は、端末機器と通信するための機器であってもよい。当該ネットワーク機器は、ＧＳＭもしくはＣＤＭＡシステムで動作する基地局（Ｂａｓｅ Ｔｒａｎｓｃｅｉｖｅｒ Ｓｔａｔｉｏｎ、略称ＢＴＳ）、ＷＣＤＭＡシステムで動作する基地局（ＮｏｄｅＢ、略称ＮＢ）、ＬＴＥシステムで動作する進化型基地局（Ｅｖｏｌｕｔｉｏｎａｌ ＮｏｄｅＢ、略称ｅＮＢまたはｅＮｏｄｅＢ）、またはクラウド無線アクセスネットワーク（Ｃｌｏｕｄ Ｒａｄｉｏ Ａｃｃｅｓｓ Ｎｅｔｗｏｒｋ、略称ＣＲＡＮ）環境で動作する無線コントローラであってもよく、中継局、アクセスポイント、車載機器、ウェアラブル端末および５Ｇネットワーク対応のネットワーク機器またはＰＬＭＮネットワークで動作するネットワーク機器等であってもよく、本発明は特に限定しない。
【００５５】
図１は、本発明における一つの応用場面を概略的に示す図である。図１に示す通信システムは、端末機器１０と、ネットワーク機器２０とを含んでもよい。ネットワーク機器２０は、コアネットワークに接続されて端末機器１０に通信サービスを提供する。端末機器１０は、ネットワーク機器２０の送信した同期信号、ブロードキャスト信号などを検索することで、ネットワークに接続してネットワークと通信を行う。図中の矢印は、端末機器１０とネットワーク機器２０との間におけるセルラーリンクで行われる上り／下り伝送を表す。
【００５６】
５Ｇシステムにおいて、伝送速度に関する要件を満たすために、高周波数帯（中心周波数は６ＧＨｚ以上であり、典型的なのは例えば２８ＧＨｚである）におけるデータ伝送への対応が求められる。高周波数帯においてデータ伝送を行う際に、より速い伝送速度を得るために、マルチ入出力技術を利用する必要がある。
【００５７】
従来技術では、端末機器が一般的にビームを任意に選択して信号の伝送に用いるため、必ずしもビームフォーミング利得の高いビームが選択されるわけではなく、信号の伝送品質が保証されない。
【００５８】
図２は、本発明の実施例による信号送信方法２００を概略的に示す図である。方法２００は、端末機器により実行されてもよい。方法２００は、ステップＳ２１０〜ステップＳ２３０を含み、
ステップＳ２１０において、端末機器が、複数のビームを用いて、ネットワーク機器が当該複数のビームにおいて目的ビームを決定するための第１の信号を送信する。
ステップＳ２２０において、当該端末機器が、当該ネットワーク機器により送信された、当該ネットワーク機器により決定された目的ビームを当該端末機器に報知するための報知メッセージを受信する。
ステップＳ２３０において、当該端末機器が、当該目的ビームを用いて第２の信号を送信する。
【００５９】
より詳しくは、端末機器が複数のビームを用いて基地局に第１の信号を送信することにより、基地局は受信した複数の第１の信号に基づき、ビームフォーミング利得の最も高い目的ビームを決定し、且つ決定された目的ビームを端末機器に報知するための報知メッセージを端末機器に送信して、端末機器は目的ビームを用いてその他の信号（第２の信号とする）を送信するため、信号の伝送品質が保証される。
【００６０】
本実施例では、第１の信号が上り信号であり、より詳しくは、復調基準信号（Ｄｅｍｏｄｕｌａｔｉｏｎ Ｒｅｆｅｒｅｎｃｅ Ｓｉｇｎａｌ、ＤＭＲＳ）、物理アップリンク制御チャネル（Ｐｈｙｓｉｃａｌ Ｕｐｌｉｎｋ Ｃｏｎｔｒｏｌ Ｃｈａｎｎｅｌ、ＰＵＣＣＨ）およびサウンディング参照信号（Ｓｏｕｎｄｉｎｇ Ｒｅｆｅｒｅｎｃｅ Ｓｉｇｎａｌ、ＳＲＳ）のいずれかであってもよい。第１の信号と第２の信号は、同一であっても異なってもよく、本発明はこれについて限定しない。
【００６１】
報知メッセージは、無線リソース制御（Ｒａｄｉｏ Ｒｅｓｏｕｒｃｅ Ｃｏｎｔｒｏｌ、ＲＲＣ）メッセージ、下りリンク制御情報（Ｄｏｗｎｌｉｎｋ Ｃｏｎｔｒｏｌ Ｉｎｆｏｒｍａｔｉｏｎ、ＤＣＩ）シグナリング、またはハンドオーバコマンド等であってもよく、本発明はこれについて限定しない。
【００６２】
なお、端末機器が複数のビームを用いて第１の信号を送信するのは、同時に送信しても、周期的に送信してもよい。本発明はこれについて限定しない。
【００６３】
異なるビームは、ビーム方向が異なるビーム、またはビーム方向が同一のビームと見なすことができ、説明の便宜上、本実施例では、異なるビームで異なるビーム方向を示すことで説明する。
【００６４】
したがって、本実施例による信号送信方法において、端末機器は複数のビームを用いてネットワーク機器が目的ビームを決定するための第１の信号を送信し、且つネットワーク機器により送信された、決定された目的ビームを端末機器に報知するための報知メッセージを受信し、当該目的ビームを用いて第２の信号を送信することにより、端末機器が複数のビームを用いて信号を送信して、ネットワーク機器が、端末機器が信号を伝送するためのビームフォーミング利得の高い目的ビームを決定するため、信号の伝送品質が向上する。
【００６５】
任意選択的に、一実施例として、当該第１の信号にビームのビームＩＤ（Ｉｄｅｎｔｉｔｙ）が付随される。当該端末機器が、ネットワーク機器により送信された報知メッセージを受信する前記ステップは、該端末機器が、ネットワーク機器により送信された当該目的ビームのビームＩＤが付随される当該報知メッセージを受信することを含む。
【００６６】
より詳しくは、端末機器が各ビームをマークし、且つ第１の信号を送信するために用いられたビームのビーム識別ＩＤを当該第１の信号に付随させることにより、ネットワーク機器は端末機器により送信された複数のビームにおいて目的ビームを決定した後、報知メッセージを端末機器に返信する時、報知メッセージに目的ビームのビームＩＤを付随することができる。これにより、端末機器が当該目的ビームのビームＩＤに基づき目的ビームを識別して、目的ビームを用いて信号を送信するため、信号の伝送品質が保証される。
【００６７】
なお、本実施例では、端末機器が、第１の信号にビームのその他の特徴情報を付随させることにより、端末機器およびネットワーク機器は当該特徴情報に基づき、異なるビームを区別して目的ビームを決定してもよい。本発明は当該特徴情報について限定しない。
【００６８】
任意選択的に、一実施例として、当該方法は、当該端末機器が、当該端末機器に対応可能なビーム数Ｎ（ただしＮは２以上の正の整数である）を指示する第１の指示情報を当該ネットワーク機器に送信するステップと、当該端末機器が、当該ネットワーク機器により送信された、当該ネットワーク機器がＮ個のビームに対して設定したビーム識別ＩＤが付随される第２の指示情報を受信するステップとをさらに含む。当該端末機器が複数のビームを用いて第１の信号を送信する前記ステップは、当該端末機器が当該ビーム識別ＩＤに基づき、当該Ｎ個のビームを用いて当該第１の信号を送信することを含む。
【００６９】
より詳しくは、端末機器が、対応可能なビーム数の最大値を決定し、当該ビームの数はアンテナの数により決まってもよい。端末機器が、対応可能なビーム数の最大値Ｎ（ただしＮは２以上である）をネットワーク機器に送信することにより、ネットワーク機器はＮ個のビームに対してビームＩＤを設定し、且つ第２の指示情報によってＮ個のビームに対して設定されたビームＩＤを端末機器に送信する。端末機器が対応可能なビーム数の最大値をネットワーク機器に報告し、ネットワーク機器がそれぞれのビームに時間周波数リソースを割り当て、端末機器がビームＩＤに対応するビームを用いて第１信号を送信することにより、端末機器はすべてのビームを充分に利用して第１の信号を送信することができ、ビーム利用率が向上する。
【００７０】
なお、ネットワーク機器は、予めビームＩＤに対応する時間周波数リソースを端末機器と取り決めることにより、ネットワーク機器が第１の信号のビームＩＤの送信を報知した後、端末機器はビームＩＤに基づき対応する時間周波数リソースを決定するように構成されてもよく、本発明はこれについて限定しない。
【００７１】
任意選択的に、当該第２の指示情報には、ビームＩＤと時間周波数リソースとのマッピング関係も付随される。当該端末機器が当該ビーム識別ＩＤに基づき、当該Ｎ個のビームを用いて当該第１の信号を送信することは、当該端末機器が当該ビーム識別ＩＤおよびビームＩＤと時間周波数リソースとの当該マッピング関係に基づき、当該Ｎ個のビームを用いて当該第１の信号を送信することを含む。
【００７２】
より詳しくは、端末機器の受信した第２の指示情報には、ビームＩＤと時間周波数リソースとのマッピング関係が付随されてもよく、ビームＩＤと時間周波数リソースとの当該マッピング関係は、ネットワーク機器によってそれぞれのビームＩＤに対して設定されるため、端末機器はビームＩＤに対応するビームおよびビームＩＤに対応する時間周波数リソースを使用して、ネットワーク機器に第１の信号を送信することができる。すなわち、端末機器は、ネットワーク機器により指示された時間周波数リソースに基づき、ネットワーク機器に第１の信号を送信することで、その他の機器と同一の時間周波数リソースを使用するためビームの測定を行う時に生じる干渉を軽減することができる。
【００７３】
なお、異なるビームＩＤに対応する時間周波数リソースは、同一であっても異なってもよい。例えば、端末機器は、時間周波数リソースに対して、ポーリング方法で異なるビームの信号を送信してもよい。
【００７４】
任意選択的に、当該方法は、当該端末機器が、当該端末機器と当該ネットワーク機器との間の遅延を指示するタイミングアドバンス（ＴＡ）値を取得するステップをさらに含む。当該端末機器が複数のビームを用いて第１の信号を送信する前記ステップは、当該端末機器が当該ＴＡ値に基づき、当該複数のビームを用いて当該第１の信号を送信することを含む。
【００７５】
より詳しくは、端末機器およびネットワーク機器が信号を送信する時、特に端末機器が属するネットワーク機器のカバーする範囲で長距離移動する場合、またはその他のネットワーク機器のカバーする範囲まで移動する場合に遅延が生じる。この時に、端末機器は、タイミングアドバンス（ＴＡ）値を取得し、当該ＴＡ値に基づき信号を送信する際の前進時間を決定することができる。より詳しくは、端末機器で信号を送信する際の前進時間は、必要に応じて、当該ＴＡ値よりわずか大きいか、またはわずか小さくすることにより、端末機器とネットワーク機器との間における信号伝送の品質をさらに向上させることができる。
【００７６】
端末機器は、現時点に属するネットワーク機器（第１のネットワーク機器と称する）から別のネットワーク機器（第２のネットワーク機器と称する）に移動する時、第１のネットワーク機器により送信されたハンドオーバコマンドを受信し、且つ当該ハンドオーバコマンドに基づきハンドオーバを実行する。端末機器が第１のネットワーク機器のカバーする範囲にある時、第１ネットワーク機器により、端末機器に対して目的ビームを決定し、端末機器が第２のネットワーク機器のカバーする範囲に移動する時、第２のネットワーク機器により、端末機器に対して目的ビームを決定する。これにより、端末機器が第２のネットワーク機器のカバーする範囲に移動する時、第２のネットワーク機器は端末機器に対して目的ビームを決定しネットワークリソースを割り当て、且つ第１のネットワーク機器に報知し、第１のネットワーク機器はハンドオーバコマンドによって目的ビームおよびネットワークリソースの割り当て情報を端末機器に送信し、端末機器は目的ビームを用いて第２のネットワーク機器に第２の信号を送信する。
【００７７】
したがって、本実施例による信号送信方法において、端末機器が複数のビームを用いて、ネットワーク機器が目的ビームを決定するための第１の信号を送信し、且つネットワーク機器により送信された、決定された目的ビームを端末機器に報知するための報知メッセージを受信し、当該目的ビームを用いて第２の信号を送信することにより、端末機器が複数のビームを用いて信号を送信して、ネットワーク機器は端末機器が信号を伝送するためのビームフォーミング利得の高い目的ビームを決定するため、信号の伝送品質が向上する。
【００７８】
図３は、本発明の一実施例による信号送信方法３００を概略的に示す図である。方法３００は、ネットワーク機器により実行されてもよい。方法３００は、ステップＳ３１０〜ステップＳ３３０を含み、
ステップＳ３１０において、ネットワーク機器が、端末機器が複数のビームを用いて送信した第１の信号を受信する。
ステップＳ３２０において、当該ネットワーク機器が、当該第１の信号に基づき、当該複数のビームにおいて目的ビームを決定する。
ステップＳ３３０において、当該ネットワーク機器が、当該ネットワーク機器により決定された当該目的ビームを当該端末機器に報知するための報知メッセージを当該端末機器に送信する。
【００７９】
より詳しくは、ネットワーク機器が、端末機器が複数のビームを用いて送信した複数の第１の信号を受信し、且つ複数の第１の信号の信号品質などに基づき複数のビームにおいて目的ビームを決定し、報知メッセージにより、決定された当該目的ビームを端末機器に報知することにより、端末機器は目的ビームを用いて後続の信号を送信するため、信号の伝送品質が保証される。
【００８０】
なお、ネットワーク機器の受信した第１の信号の数は、端末機器により送信された信号の数より少ない場合もあり、すなわち、あるビームを用いて送信した第１の信号の信号品質が弱すぎるため、ネットワーク機器により検出されない場合がある。
【００８１】
なお、本実施例において、端末機器側について説明される対話機能および関連する特徴、機能などは、ネットワーク機器側に関する説明に対応するため、説明を省略する。
【００８２】
したがって、本実施例による信号送信方法において、ネットワーク機器が、端末機器が複数のビームを用いて送信した第１の信号を受信し、当該第１の信号に基づき目的ビームを決定し、且つ決定された目的ビームを端末機器に報知するための報知メッセージを端末機器に送信して、端末機器が当該目的ビームを用いて第２の信号を送信することにより、ネットワーク機器は端末機器が複数のビームを用いて送信した第１の信号に基づき、ビームフォーミング利得の高い目的ビームを決定し、端末機器は当該目的ビームに基づき第２の信号を送信するため、信号の伝送品質が向上する。
【００８３】
任意選択的に、当該ネットワーク機器が、端末機器が複数のビームを用いて送信した第１の信号を受信する前に、当該方法は、当該ネットワーク機器が、当該端末機器により送信された、当該端末機器に対応可能なビーム数Ｎ（ただしＮは２以上の正の整数である）を指示する第１の指示情報を受信するステップと、当該ネットワーク機器が、当該第１の指示情報に基づき、Ｎ個のビームにおけるそれぞれのビームに対してビーム識別ＩＤを設定するステップと、当該ネットワーク機器が、当該Ｎ個のビームのビームＩＤが付随される第２の指示情報を当該端末機器に送信するステップとをさらに含む。
【００８４】
より詳しくは、ネットワーク機器が、端末機器が自発的に報告する対応可能なビーム数の最大値、またはネットワーク機器が要求メッセージを送信して得られる当該ビームの数の最大値（Ｎ）を受信する。ネットワーク機器は、これらＮ個のビームに対してビームＩＤを設定し、且つ第２の指示情報により端末機器に報知する。
【００８５】
任意選択的に、当該方法は、当該ネットワーク機器が、ビームＩＤと時間周波数リソースとのマッピング関係を決定するステップをさらに含む。当該ネットワーク機器が当該端末機器に第２の指示情報を送信する前記ステップは、当該ネットワーク機器が、ビームＩＤと時間周波数リソースとの当該マッピング関係も付随される当該第２の指示情報を端末機器に送信することを含む。
【００８６】
より詳しくは、ネットワーク機器が、端末機器に対応可能なビーム数の最大値であるＮ個のビームのそれぞれに対してビームＩＤを設定し、ネットワーク機器が時間周波数リソースの使用状況に基づきそれぞれのビームに対して割り当てた対応する時間周波数リソースをも当該第２の指示情報に付随させて、端末機器に報知する。ネットワーク機器がアイドル状態にある時間周波数リソースを端末に割り当てることにより、信号伝送の効率を向上させる。
【００８７】
例えば、ネットワーク機器は、端末機器に対応可能なビーム数の最大値が４であることを決定したら、これら４つのビームに対してそれぞれビームＩＤ、すなわちＩＤ１、ＩＤ２、ＩＤ３およびＩＤ４を設定する。ネットワーク機器がそれぞれのビームＩＤと時間周波数リソースとのマッピング関係を以下のとおり決定する：ＩＤ１は時間周波数リソース１に対応し、ＩＤ２は時間周波数リソース２に対応し、ＩＤ３は時間周波数リソース３に対応し、ＩＤ４は時間周波数リソース４に対応する。これにより、ネットワーク機器が、ビームＩＤと時間周波数リソースとのマッピング関係も付随される第２の指示情報を端末機器に送信した後、端末機器はそれぞれのビームＩＤに対応する時間周波数リソースに基づき、第１の信号を送信することができる。
【００８８】
任意選択的に、当該第１の信号にビームのビームＩＤが付随される。当該ネットワーク機器が当該第１の信号に基づき、当該複数のビームにおいて目的ビームを決定する前記ステップは、当該ネットワーク機器が、当該第１の信号に基づき、当該複数のビームのビームＩＤにおいて当該目的ビームのビームＩＤを決定することを含む。当該ネットワーク機器が当該端末機器に報知メッセージを送信する前記ステップは、当該ネットワーク機器が、当該目的ビームのビームＩＤが付随される報知メッセージを当該端末機器に送信することを含む。
【００８９】
より詳しくは、ネットワーク機器が、ビームＩＤが付随される第１の信号を端末機器に送信し、当該第１の信号に基づき目的ビームを決定し、且つ報知メッセージに目的ビームのビームＩＤを付随させることにより、端末機器は当該目的ビームを識別し、且つ目的ビームにより第２の信号を送信することができる。
【００９０】
任意選択的に、当該方法は、当該ネットワーク機器が、当該ネットワーク機器と当該端末機器との間の遅延を指示するＴＡ値を当該端末機器に送信するステップをさらに含む。
【００９１】
端末機器は、タイミングアドバンス（ＴＡ）値を取得し、当該ＴＡ値に基づき信号を送信する際の前進時間を決定することにより、端末機器とネットワーク機器との間における信号伝送の品質をさらに向上させることができる。
【００９２】
したがって、本実施例による信号送信方法において、ネットワーク機器が、端末機器が複数のビームを用いて送信した第１の信号を受信し、当該第１の信号に基づき目的ビームを決定し、且つ決定された目的ビームを端末機器に報知するための報知メッセージを端末機器に送信して、端末機器が当該目的ビームを用いて第２の信号を送信することにより、ネットワーク機器は端末機器が複数のビームを用いて送信した第１の信号に基づき、ビームフォーミング利得の高い目的ビームを決定し、端末機器は当該目的ビームに基づき第２の信号を送信するため、信号の伝送品質が向上する。
【００９３】
以下、図４を参照しながら本発明の実施例について詳しく説明する。本実施例の説明に用いられる各用語は、上記各実施例と同じ意味である。
【００９４】
なお、説明される内容は、当業者が本実施例を理解しやすくするためのものに過ぎず、本実施例の範囲に限定を加えるものではない。以下のステップを含む。
【００９５】
ステップ４０１：端末機器が、端末機器に対応可能なビーム数の最大値Ｎを指示する第１の指示情報をネットワーク機器に送信する。
【００９６】
ステップ４０２：ネットワーク機器が、これらＮ個のビームに対してビームＩＤを設定する。
【００９７】
ステップ４０３：ネットワーク機器が、ビームＩＤと時間周波数リソースとのマッピング関係を決定する。
【００９８】
ステップ４０４：ネットワーク機器が、ビームＩＤと時間周波数リソースとのマッピング関係が付随される第２の指示情報を端末機器に送信する。
【００９９】
ステップ４０５：端末機器が、Ｎ個のビームにおけるそれぞれのビームを用いて、ビームＩＤに対応する時間周波数リソースに基づきネットワーク機器に第１の信号を送信する。
【０１００】
ステップ４０６：ネットワーク機器が、第１の信号に基づき、Ｎ個のビームにおいて目的ビームを決定する。
【０１０１】
ステップ４０７：ネットワーク機器が、決定された当該目的ビームを端末機器に報知するための報知メッセージを端末機器に送信する。
【０１０２】
ステップ４０８：端末機器が、目的ビームを用いてネットワーク機器に第２の信号を送信する。
【０１０３】
したがって、本実施例による信号送信方法において、端末機器が、対応可能なビーム数Ｎをネットワーク機器に送信し、ネットワーク機器がＮ個のビームに対してビームＩＤを設定し、ビームＩＤと時間周波数リソースとのマッピング関係を決定し、且つ端末機器に第１の指示情報を送信して端末機器に報知し、ビームＩＤに対応する時間周波数リソースに基づき第１の信号を送信し、当該第１の信号に基づき目的ビームを決定し、且つ決定された目的ビームを端末機器に報知するための報知メッセージを端末機器に送信し、端末機器が当該目的ビームを用いて第２の信号を送信することにより、ネットワーク機器は端末機器が複数のビームを用いて送信した第１の信号に基づき、ビームフォーミング利得の高い目的ビームを決定し、端末機器は当該目的ビームに基づき第２の信号を伝送するため、信号の伝送品質が向上する。
【０１０４】
本発明の様々な実施例において、上記各ステップにつけた番号は、実行される順序を限定するものではなく、各ステップの実行される順序はその機能および内部倫理により決まるため、本実施例を実施するプロセスに対して限定を加えるものではない。
【０１０５】
以上を要約すると、従来技術では、端末機器が、一般的にビームを任意に選択して信号の伝送に用いるのに対して、本実施例は、新規な信号伝送方法を提供する。
【０１０６】
図５は、本発明のもう一つの実施例を示す。本実施例に用いられる各用語は、上記各実施例と同じ意味である。
【０１０７】
なお、説明される内容は、当業者が本実施例を理解しやすくするためのものに過ぎず、本実施例の範囲に限定を加えるものではない。以下のステップを含む。
【０１０８】
ステップ５０１：端末機器が、端末機器に対応可能なビーム数の最大値Ｎ（ただしＮは１以上である）を指示する第１の指示情報をネットワーク機器に送信する。
【０１０９】
ステップ５０２：ネットワーク機器が、これらＮ個のビームに対してビームＩＤを設定する。
【０１１０】
ステップ５０３：ネットワーク機器が、ビームＩＤと時間周波数リソースとのマッピング関係を決定する。
【０１１１】
ステップ５０３は実行されなくてもよい。端末機器が予めネットワーク機器と、異なるビームＩＤに対応する時間周波数リソースを取り決めることにより、ネットワーク機器はビームＩＤに基づき第１の信号を送信するように構成されてもよい。
【０１１２】
ステップ５０４：ネットワーク機器が、ビームＩＤ、ビームＩＤと時間周波数リソースとのマッピング関係が付随される第２の指示情報を端末機器に送信する。
【０１１３】
ステップ５０３を実行しない場合、ステップ５０４で、第２の指示情報にビームＩＤが付随される。
【０１１４】
ステップ５０５：端末機器が、ＴＡ値を取得する。
【０１１５】
ステップ５０６：端末機器が、ＴＡ値に基づきネットワーク機器に第１の信号を送信する。
【０１１６】
端末機器がＴＡ値を取得し、当該ＴＡ値に基づき第１の信号を送信することにより、信号の伝送品質を向上させることができる。
【０１１７】
したがって、本実施例による信号送信方法において、端末機器に対応可能なビーム数Ｎをネットワーク機器に報告して、ネットワーク機器がＮ個のビームに対してビームＩＤを設定し、且つ当該ビームＩＤが付随される第１の指示情報を端末機器に送信し、端末機器がビームＩＤに基づきネットワーク機器に第１の信号を送信することにより、端末機器はネットワーク機器の指示に基づき、端末機器に対応可能なビーム数で信号を送信するため、ビーム利用率が向上する。
【０１１８】
上記のとおり本実施例による信号送信方法について詳しく説明したが、以下、本実施例によるネットワーク機器および端末機器について説明する。
【０１１９】
図６は、本発明の実施例による端末機器６００を概略的に示すブロック図である。端末機器６００は、送信モジュール６１０と、受信モジュール６２０とを含み、
送信モジュール６１０は、複数のビームを用いて、ネットワーク機器が当該複数のビームにおいて目的ビームを決定するための第１の信号を送信し、
受信モジュール６２０は、ネットワーク機器により送信された、当該ネットワーク機器により決定された当該目的ビームを当該端末機器に報知するための報知メッセージを受信し、
さらに、送信モジュール６１０は、当該目的ビームを用いて第２の信号を送信する。
【０１２０】
任意選択的に、送信モジュール６１０はさらに、当該端末機器に対応可能なビーム数Ｎ（ただしＮは２以上の正の整数である）を指示する第１の指示情報を当該ネットワーク機器に送信し、受信モジュール６２０はさらに、当該ネットワーク機器により送信された、当該当該ネットワーク機器がＮ個のビームに対して設定したビーム識別ＩＤが付随される第２の指示情報を受信する。より詳しくは、送信モジュール６１０が、当該ビーム識別ＩＤに基づき、当該Ｎ個のビームを用いて当該第１の信号を送信する。
【０１２１】
任意選択的に、当該第２の指示情報には、ビームＩＤと時間周波数リソースとのマッピング関係も付随される。より詳しくは、送信モジュール６１０が、当該ビーム識別ＩＤと当該ビームＩＤと時間周波数リソースとのマッピング関係に基づき、当該Ｎ個のビームを用いて当該第１の信号を送信する。
【０１２２】
任意選択的に、当該第１の信号にビームのビームＩＤが付随される。より詳しくは、受信モジュール６２０が、当該ネットワーク機器により送信された、当該目的ビームのビームＩＤが付随される当該報知メッセージを受信する。
【０１２３】
任意選択的に、さらに、受信モジュール６２０は、当該端末機器と当該ネットワーク機器との間の遅延を指示するタイミングアドバンス（ＴＡ）値を取得する。より詳しくは、当該送信モジュールが、当該ＴＡ値に基づき、当該複数のビームを用いて当該第１の信号を送信する。
【０１２４】
したがって、本実施例による端末機器は、複数のビームを用いて、ネットワーク機器が目的ビームを決定するための第１の信号を送信し、且つネットワーク機器により送信された、決定された目的ビームを端末機器に報知するための報知メッセージを受信し、当該目的ビームを用いて第２の信号を送信することにより、端末機器が複数のビームを用いて信号を送信することで、ネットワーク機器は端末機器が信号を伝送するためのビームフォーミング利得の高い目的ビームを決定するため、信号の伝送品質が向上する。
【０１２５】
図７は、本発明の実施例によるネットワーク機器７００を概略的に示すブロック図である。ネットワーク機器７００は、受信モジュール７１０と、処理モジュール７２０と、送信モジュール７３０とを含み、
受信モジュール７１０は、端末機器が複数のビームを用いて送信した第１の信号を受信し、
処理モジュール７２０は、当該受信モジュールにより受信される第１の信号に基づき、当該複数のビームにおいて目的ビームを決定し、
送信モジュール７３０は、ネットワーク機器により決定された当該目的ビームを当該端末機器に報知するための報知メッセージを端末機器に送信する。
【０１２６】
任意選択的に、当該ネットワーク機器が、端末機器が複数のビームを用いて送信した第１の信号を受信する前に、受信モジュール７１０は、当該端末機器により送信された、端末機器に対応可能なビーム数Ｎ（ただしＮは２以上の正の整数である）を指示する第１の指示情報を受信し、処理モジュール７２０は、当該第１の指示情報に基づき、Ｎ個のビームにおけるそれぞれのビームに対してビーム識別ＩＤを設定し、送信モジュール７３０は、当該Ｎ個のビームのビームＩＤが付随される第２の指示情報を当該端末機器に送信する。
【０１２７】
任意選択的に、処理モジュール７２０は、ビームＩＤと時間周波数リソースとのマッピング関係を決定し、詳しくは、送信モジュール７３０は、ビームＩＤと時間周波数リソースとのマッピング関係も付随される第２の指示情報を端末機器に送信する。
【０１２８】
任意選択的に、当該第１の信号にビームのビームＩＤが付随される。より詳しくは、処理モジュール７２０が、当該第１の信号に基づき、当該複数のビームのビームＩＤにおいて当該目的ビームのビームＩＤを決定し、送信モジュール７３０が、当該目的ビームのビームＩＤが付随される報知メッセージを当該端末機器に送信する。
【０１２９】
任意選択的に、さらに、送信モジュール７３０は、当該ネットワーク機器と当該端末機器との間の遅延を指示するＴＡ値を端末機器に送信する。
【０１３０】
したがって、本実施例によるネットワーク機器において、端末機器が複数のビームを用いて送信した第１の信号を受信し、当該第１の信号に基づき目的ビームを決定し、且つ決定された目的ビームを端末機器に報知するための報知メッセージを端末機器に送信して、端末機器が当該目的ビームを用いて第２の信号を送信することにより、ネットワーク機器は端末機器が複数のビームを用いて送信した第１の信号に基づき、ビームフォーミング利得の高い目的ビームを決定し、端末機器は当該目的ビームに基づき第２の信号を送信するため、信号の伝送品質が向上する。
【０１３１】
図８は、本発明の実施例による端末機器８００を概略的に示すブロック図である。端末機器８００は、送信モジュール８１０と、受信モジュール８２０とを含み、
送信モジュール８１０は、当該端末機器に対応可能なビーム数Ｎ（ただしＮは１以上の正の整数である）を指示する第１の指示情報をネットワーク機器に送信し、
受信モジュール８２０は、当該ネットワーク機器により送信された、当該ネットワーク機器がＮ個のビームに対して設定したビーム識別ＩＤが付随される第２の指示情報を受信する。
さらに、送信モジュール８１０は、当該第２の指示情報に基づき、当該Ｎ個のビームを用いて第１の信号を送信する。
【０１３２】
任意選択的に、当該第２の指示情報には、ビームＩＤと時間周波数リソースとのマッピング関係も付随される。
【０１３３】
任意選択的に、さらに、受信モジュール８２０は、端末機器とネットワーク機器との間の遅延を指示するタイミングアドバンス（ＴＡ）値を取得する。より詳しくは、送信モジュール８１０が、当該ＴＡ値に基づき、当該Ｎ個のビームを用いて第１の信号を送信する。
【０１３４】
したがって、本実施例による端末機器において、端末機器に対応可能なビーム数Ｎをネットワーク機器に報告して、ネットワーク機器がＮ個のビームに対してビームＩＤを設定し、且つ当該ビームＩＤが付随される第１の指示情報を端末機器に送信し、端末機器がビームＩＤに基づきネットワーク機器に第１の信号を送信することにより、端末機器はネットワーク機器の指示に基づき、端末機器に対応可能なビーム数で信号を送信するため、ビーム利用率が向上する。
【０１３５】
図９は、本発明の実施例によるネットワーク機器９００を概略的に示すブロック図である。ネットワーク機器９００は、受信モジュール９１０と、処理モジュール９２０と、送信モジュール９３０とを含み、
受信モジュール９１０は、端末機器により送信された、当該端末機器に対応可能なビーム数Ｎ（ただしＮは１以上の正の整数である）を指示する第１の指示情報を受信し、
処理モジュール９２０は、Ｎ個のビームにおけるそれぞれのビームに対してビーム識別ＩＤを設定し、
送信モジュール９３０は、当該ビーム識別ＩＤが付随される第２の指示情報を端末機器に送信する。
【０１３６】
任意選択的に、さらに、処理モジュール９２０はビームＩＤと時間周波数リソースとのマッピング関係を決定し、より詳しくは、送信モジュール９３０がビームＩＤと時間周波数リソースとの当該マッピング関係も付随される第２の指示情報を端末機器に送信する。
【０１３７】
任意選択的に、さらに、送信モジュール９３０は、ネットワーク機器と端末機器との間の遅延を指示するＴＡ値を端末機器に送信する。
【０１３８】
したがって、本実施例によるネットワーク機器において、端末機器の報告した対応可能なビーム数Ｎを受信し、Ｎ個のビームに対してビームＩＤを設定し、且つ当該ビームＩＤが付随される第１の指示情報を端末機器に送信し、端末機器がビームＩＤに基づきネットワーク機器に第１の信号を送信することにより、端末機器はネットワーク機器の指示に基づき、端末機器に対応可能なビーム数で信号を送信するため、ビーム利用率が向上する。
【０１３９】
図１０は、本発明の実施例による信号送信システム１０００を概略的に示すブロック図である。システム１０００は、上記実施例による端末機器６００と、上記実施例によるネットワーク機器７００とを含む。
【０１４０】
図１１は、本発明の実施例による信号送信システム１１００を概略的に示すブロック図である。システム１１００は、上記実施例による端末機器８００と、上記実施例によるネットワーク機器９００とを含む。
【０１４１】
図１２は、本発明の実施例による端末機器の構造を示す。当該端末機器は、ネットワーク機器における各モジュールおよび装置に対して管理およびディスパッチを行う少なくとも１つのプロセッサ１２０２を含み、例えば、演算および処理能力を備える汎用プロセッサＣＰＵ、デジタル信号プロセッサ（ＤＳＰ）、特定用途向け集積回路（ＡＳＩＣ）、市販されるプログラマブルゲートアレイ（ＦＰＧＡ）等である。少なくとも１つのネットワークインタフェース１２０５またはその他の通信インタフェースと、メモリ１２０６と、少なくとも１つのバスシステム１２０３とをさらに含む。端末機器の各構成要素はバスシステム１２０３によって相互に接続される。バスシステム１２０３はデータバス、電源バス、制御バスおよび状態信号バス等を含んでもよいが、説明の都合上、図１２には様々なバスを一律バスシステム１２０３として表示する。
【０１４２】
上記実施例に係る方法は、プロセッサ１２０２に用いるか、またはメモリ１２０６に記憶されるコンピュータプログラムなど実行可能モジュールを実行するために用いることができる。メモリ１２０６は、高速ランダムアクセスメモリ（Ｒａｎｄｏｍ Ａｃｃｅｓｓ Ｍｅｍｏｒｙ、ＲＡＭ）を含み、または不揮発性メモリ（ｎｏｎ−ｖｏｌａｔｉｌｅ ｍｅｍｏｒｙ）を含んでもよい。メモリは読み出し専用メモリおよびランダムアクセスメモリを含んでもよく、プロセッサに必要なシグナリングやデータ、プログラム等を提供する。メモリの一部には不揮発性ランダムアクセスメモリ（ＮＶＲＡＭ）が含まれてもよい。少なくとも１つの（有線または無線形式の）ネットワークインタフェース１２０５によって少なくとも１つのその他のネットワーク要素との通信接続を実現する。
【０１４３】
いくつかの実施形態において、メモリ１２０６にプログラム１２０６１が記憶され、プロセッサ１２０２はプログラム１２０６１を実行することで、以下の動作を実行する。
ネットワークインタフェース１２０５において、複数のビームを用いて、ネットワーク機器が当該複数のビームにおいて目的ビームを決定するための第１の信号を送信し、
ネットワークインタフェース１２０５において、当該ネットワーク機器により送信された、当該ネットワーク機器により決定された目的ビームを当該端末機器に報知するための報知メッセージを受信し、
ネットワークインタフェース１２０５において、当該目的ビームを用いて第２の信号を送信する。
【０１４４】
なお、当該端末機器は、上記実施例に係る端末機器であってもよく、且つ上記方法に係る実施例における端末機器に対応する各ステップおよび／またはプロセスを実行するために用いることができる。
【０１４５】
本実施例に係る上記発明において、複数のビームを用いて、ネットワーク機器が目的ビームを決定するための第１の信号を送信し、且つネットワーク機器により送信された、決定された目的ビームを端末機器に報知するための報知メッセージを受信し、当該目的ビームを用いて第２の信号を送信することにより、端末機器は複数のビームを用いて信号を送信して、ネットワーク機器は端末機器が信号を伝送するためのビームフォーミング利得の高い目的ビームを決定するため、信号の伝送品質が向上する。
【０１４６】
図１３は、本発明の実施例によるネットワーク機器の構造を示す。当該ネットワーク機器は、ネットワーク機器における各モジュールおよび装置に対して管理およびディスパッチを行う少なくとも１つのプロセッサ１３０２を含み、例えば、演算および処理能力を備える汎用プロセッサＣＰＵ、デジタル信号プロセッサ（ＤＳＰ）、特定用途向け集積回路（ＡＳＩＣ）、市販されるプログラマブルゲートアレイ（ＦＰＧＡ）等である。少なくとも１つのネットワークインタフェース１３０５またはその他の通信インタフェースと、メモリ１３０６と、少なくとも１つのバスシステム１３０３とをさらに含む。ネットワーク機器の各構成要素はバスシステム１３０３によって相互に接続される。バスシステム１３０３はデータバス、電源バス、制御バスおよび状態信号バス等を含んでもよいが、説明の都合上、図１３には様々なバスを一律バスシステム１３０３として表示する。
【０１４７】
上記実施例に係る方法は、プロセッサ１３０２に用いるか、またはメモリ１３０６に記憶されるコンピュータプログラムなど実行可能モジュールを実行するために用いることができる。メモリ１３０６は、高速ランダムアクセスメモリ（Ｒａｎｄｏｍ Ａｃｃｅｓｓ Ｍｅｍｏｒｙ、ＲＡＭ）を含み、または不揮発性メモリ（ｎｏｎ−ｖｏｌａｔｉｌｅ ｍｅｍｏｒｙ）を含んでもよい。メモリは読み出し専用メモリおよびランダムアクセスメモリを含んでもよく、プロセッサに必要なシグナリングやデータ、プログラム等を提供する。メモリの一部には不揮発性ランダムアクセスメモリ（ＮＶＲＡＭ）が含まれてもよく、少なくとも１つの（有線または無線形式の）ネットワークインタフェース１３０５によって少なくとも１つのその他のネットワーク要素との通信接続を実現する。
【０１４８】
いくつかの実施例において、メモリ１３０６にプログラム１３０６１が記憶され、プロセッサ１３０２はプログラム１３０６１を実行することで、以下の動作を実行する。
ネットワークインタフェース１３０５によって、端末機器が複数のビームを用いて送信した第１の信号を受信し、当該ネットワーク機器が当該第１の信号に基づき当該複数のビームにおいて目的ビームを決定し、
ネットワークインタフェース１３０５によって、当該ネットワーク機器により決定された当該目的ビームを当該端末機器に報知するための報知メッセージを端末機器に送信する。
【０１４９】
なお、当該ネットワーク機器は、上記実施例に係るネットワーク機器であってもよく、且つ上記方法に関する実施例におけるネットワーク機器に対応する各ステップおよび／またはプロセスを実行するために用いることができる。
【０１５０】
本実施例に係る上記発明において、端末機器が複数のビームを用いて送信した第１の信号を受信し、当該第１の信号に基づき目的ビームを決定し、且つ決定された目的ビームを端末機器に報知するための報知メッセージを端末機器に送信して、端末機器が当該目的ビームを用いて第２の信号を送信することにより、ネットワーク機器は端末機器が複数のビームを用いて送信した第１の信号に基づき、ビームフォーミング利得の高い目的ビームを決定して第２の信号を送信するため、信号の伝送品質が向上する。
【０１５１】
図１４は、本発明の実施例による端末機器の構造を示す。当該ネットワーク機器は、ネットワーク機器における各モジュールおよび装置に対して管理およびディスパッチを行う少なくとも１つのプロセッサ１４０２を含み、例えば、演算および処理能力を備える汎用プロセッサＣＰＵ、デジタル信号プロセッサ（ＤＳＰ）、特定用途向け集積回路（ＡＳＩＣ）、市販されるプログラマブルゲートアレイ（ＦＰＧＡ）等である。少なくとも１つのネットワークインタフェース１４０５またはその他の通信インタフェースと、メモリ１４０６と、少なくとも１つのバスシステム１４０３とをさらに含む。ネットワーク機器の各構成要素はバスシステム１４０３によって相互に接続される。バスシステム１４０３はデータバス、電源バス、制御バスおよび状態信号バス等を含んでもよいが、説明の都合上、図１４には様々なバスを一律バスシステム１４０３として表示する。
【０１５２】
上記実施例に係る方法は、プロセッサ１４０２に用いるか、またはメモリ１４０６に記憶されるコンピュータプログラムなど実行可能モジュールを実行するために用いることができる。メモリ１４０６は、高速ランダムアクセスメモリ（Ｒａｎｄｏｍ Ａｃｃｅｓｓ Ｍｅｍｏｒｙ、ＲＡＭ）を含み、または不揮発性メモリ（ｎｏｎ−ｖｏｌａｔｉｌｅ ｍｅｍｏｒｙ）を含んでもよい。メモリは読み出し専用メモリおよびランダムアクセスメモリを含んでもよく、プロセッサに必要なシグナリングやデータ、プログラム等を提供する。メモリの一部には不揮発性ランダムアクセスメモリ（ＮＶＲＡＭ）が含まれてもよく、少なくとも１つの（有線または無線形式の）ネットワークインタフェース１４０５によって少なくとも１つのその他のネットワーク要素との通信接続を実現する。
【０１５３】
いくつかの実施例において、メモリ１４０６にプログラム１４０６１が記憶され、プロセッサ１４０２はプログラム１４０６１を実行することで、以下の動作を実行する。
ネットワークインタフェース１４０５によって、端末機器に対応可能なビーム数Ｎ（ただしＮは１以上の正の整数である）を指示する第１の指示情報をネットワーク機器に送信し、
ネットワークインタフェース１４０５によって、当該ネットワーク機器により送信された、当該ネットワーク機器がＮ個のビームに対して設定したビーム識別ＩＤが付随される第２の指示情報を受信し、
ネットワークインタフェース１４０５によって、当該第２の指示情報に基づき、当該Ｎ個のビームを用いて第１の信号を送信する。
【０１５４】
なお、当該端末機器は、上記実施例に係る端末機器であってもよく、且つ上記方法に関する実施例における端末機器に対応する各ステップおよび／またはプロセスを実行するために用いることができる。
【０１５５】
本実施例に係る上記発明において、端末機器に対応可能なビーム数Ｎをネットワーク機器に報告して、ネットワーク機器がＮ個のビームに対してビームＩＤを設定し、且つ当該ビームＩＤが付随される第１の指示情報を端末機器に送信し、端末機器がビームＩＤに基づきネットワーク機器に第１の信号を送信することにより、端末機器はネットワーク機器の指示に基づき、端末機器に対応可能なビーム数で信号を送信するため、ビーム利用率が向上する。
【０１５６】
図１５は、本発明の実施例によるネットワーク機器の構造を示す。当該ネットワーク機器は、ネットワーク機器における各モジュールおよび装置に対して管理およびディスパッチを行う少なくとも１つのプロセッサ１５０２を含み、例えば、演算および処理能力を備える汎用プロセッサＣＰＵ、デジタル信号プロセッサ（ＤＳＰ）、特定用途向け集積回路（ＡＳＩＣ）、市販されるプログラマブルゲートアレイ（ＦＰＧＡ）等である。少なくとも１つのネットワークインタフェース１５０５またはその他の通信インタフェースと、メモリ１５０６と、少なくとも１つのバスシステム１５０３とをさらに含む。ネットワーク機器の各構成要素はバスシステム１５０３によって相互に接続される。バスシステム１５０３はデータバス、電源バス、制御バスおよび状態信号バス等を含んでもよいが、説明の都合上、図１５には様々なバスを一律バスシステム１５０３として表示する。
【０１５７】
上記実施例に係る方法は、プロセッサ１５０２に用いるか、またはメモリ１５０６に記憶されるコンピュータプログラムなど実行可能モジュールを実行するために用いることができる。メモリ１５０６は、高速ランダムアクセスメモリ（Ｒａｎｄｏｍ Ａｃｃｅｓｓ Ｍｅｍｏｒｙ、ＲＡＭ）を含み、または不揮発性メモリ（ｎｏｎ−ｖｏｌａｔｉｌｅ ｍｅｍｏｒｙ）を含んでもよい。メモリは読み出し専用メモリおよびランダムアクセスメモリを含んでもよく、プロセッサに必要なシグナリングやデータ、プログラム等を提供する。メモリの一部には不揮発性ランダムアクセスメモリ（ＮＶＲＡＭ）が含まれてもよく、少なくとも１つの（有線または無線形式の）ネットワークインタフェース１５０５によって少なくとも１つのその他のネットワーク要素との通信接続を実現する。
【０１５８】
いくつかの実施例において、メモリ１５０６にプログラム１５０６１が記憶され、プロセッサ１５０２はプログラム１５０６１を実行することで、以下の動作を実行する。
ネットワークインタフェース１５０５によって、端末機器により送信された、端末機器に対応可能なビーム数Ｎ（ただしＮは１以上の正の整数である）を指示する第１の指示情報を受信し、
ネットワークインタフェース１５０５によって、Ｎ個のビームにおけるそれぞれのビームに対してビーム識別ＩＤを設定し、
ネットワークインタフェース１５０５によって、当該ビーム識別ＩＤが付随される第２の指示情報を当該端末機器に送信する。
【０１５９】
なお、当該ネットワーク機器は、上記実施例に係るネットワーク機器であってもよく、且つ上記方法に関する実施例におけるネットワーク機器に対応する各ステップおよび／またはプロセスを実行するために用いることができる。
【０１６０】
本実施例に係る上記発明において、端末機器の報告する対応可能なビーム数Ｎに基づき、Ｎ個のビームに対してビームＩＤを設定し、且つ当該ビームＩＤが付随される第１の指示情報を端末機器に送信し、端末機器がビームＩＤに基づきネットワーク機器に第１の信号を送信することにより、端末機器はネットワーク機器の指示に基づき、端末機器に対応可能なビーム数で信号を送信するため、ビーム利用率が向上する。
【０１６１】
本発明の実施例はさらに、コンピュータ記憶媒体を提供する。当該コンピュータ記憶媒体には上記任意の方法の実行を指示するためのプログラムコードが記憶される。
【０１６２】
任意選択的に、より詳しくは、当該記憶媒体がメモリ１２０６、１３０６、１４０６または１５０６であってもよい。
【０１６３】
なお、本明細書で使用される「および／または」という用語は、関連する対象の相関関係を説明するためのものであり、３種類の関係が存在することを意味する。例えば、Ａおよび／またはＢは、Ａが単独で存在する場合、ＡおよびＢが同時に存在する場合、Ｂが単独で存在する場合を表すことができる。本明細書で使用される記号「／」は一般的に、それによって繋がる対象が「または」という関係にあることを表す。
【０１６４】
本発明の様々な実施例において、上記各ステップにつけた番号は実行される順序を限定するものではなく、各ステップの実行される順序はその機能および内部倫理により決まるため、本実施例を実施するプロセスに対して限定を加えるものではない。
【０１６５】
当業者にとって自明なように、本明細書に開示されている実施例に記載の各例示的なユニットやアルゴリズムおよびステップは、電子ハードウェア、または電子ハードウェアおよびコンピュータソフトウェアの組み合わせにより実施することができる。これらの機能をハードウェアとして実行するかソフトウェアとして実行するかは、該当発明の特定の用途および設計上の制限条件により決まる。当業者は特定の用途ごとに異なる方法を用いて該当機能を実施することができるが、このような実施は、本発明の範囲を逸脱するものではない。
【０１６６】
当業者にとって自明なように、本明細書に記載のシステム、機器およびユニットの具体的な動作プロセスについては、上記方法に関する実施例の対応するプロセスを参照されてもよいため、詳細な説明が省略される。
【０１６７】
本発明のいくつかの実施例に係るシステム、機器および方法は、その他の形態により実施することもできる。例えば、本明細書に記載の装置に関する実施例は、例示的なものに過ぎない。上述したとおり各ユニットを設定しているのは、論理機能上の分割に過ぎず、別の形態として分割して実施することもでき、例えば、複数のユニットまたは部品を別のシステムに組み合わせもしくは集積させたり、または一部の特徴を反映させず、実行しなかったりしてもよい。説明される直接的な接続または通信接続など部品間の接続は、いくつかのインタフェース、装置またはユニットを用いる間接的接続または通信接続とすることができ、電気的形態、機械的形態またはその他の形態であってもよい。
【０１６８】
分離される部品として説明される上記ユニットは、物理的に分離しても、分離しなくてもよい。ユニットとして示される部品は、物理的なユニットでも、物理的なユニットでなくてもよい。すなわち、同一の場所に設けられても、複数のネットワークユニットに配置されてもよい。必要に応じて、一部のユニットだけを用いるか、または全てのユニットを使用して当該発明の目的を達成することができる。
【０１６９】
また、本発明の実施例において、各機能ユニットが１つの処理ユニットに集積されてもよいが、各ユニットが物理的な部品として単独で存在するか、または２つ以上のユニットが１つのユニットに集積されてもよい。
【０１７０】
ソフトウェアによる機能ユニットの形で上記機能を実施し、且つ独立する製品として販売または使用する場合に、コンピュータ読み取り可能な記憶媒体に記憶されてもよい。これにより、本願に係る発明の趣旨、すなわち従来技術に対して貢献する発明または当該発明の一部は、ソフトウェア製品の形で表現されてもよい。当該コンピュータソフトウェア製品は、記憶媒体に記憶され、且つパソコン、サーバ、またはネットワーク機器等のコンピュータデバイスに本発明の各実施例による方法の全てのステップまたはその一部を実行させるためのいくつかのコマンドを含む。前記記憶媒体は、ＵＳＢフラッシュドライブ、モバイルハードディスク、読み出し専用メモリ（Ｒｅａｄ−Ｏｎｌｙ Ｍｅｍｏｒｙ、略称ＲＯＭ）、ランダムアクセスメモリ（Ｒａｎｄｏｍ Ａｃｃｅｓｓ Ｍｅｍｏｒｙ、略称ＲＡＭ）、磁気ディスクまたはコンパクトディスクなどプロクラムコードを記憶可能な様々な媒体を含む。
【０１７１】
本明細書に記載される内容は、本発明の具体的な実施形態に過ぎず、本発明の保護範囲はこれだけに限定されない。当業者が本発明に開示されている技術範囲において容易に想到し得る変更や置換などは、いずれも本発明の保護範囲に含まれる。したがって、本発明の保護範囲は、特許請求の範囲に記載される内容に準拠する。
【図１】
2020502831.tif 000003
【図２】
2020502831.tif 000004
【図３】
2020502831.tif 000005
【図４】
2020502831.tif 000006
【図５】
2020502831.tif 000007
【図６】
2020502831.tif 000008
【図７】
2020502831.tif 000009
【図８】
2020502831.tif 000010
【図９】
2020502831.tif 000011
【図１０】
2020502831.tif 000012
【図１１】
2020502831.tif 000013
【図１２】
2020502831.tif 000014
【図１３】
2020502831.tif 000015
【図１４】
2020502831.tif 000016
【図１５】
2020502831.tif 000017
【手続補正書】
【提出日】平成31年4月2日(2019.4.2)
【手続補正１】
【補正対象書類名】明細書
【補正対象項目名】全文
【補正方法】変更
【補正の内容】
【発明の詳細な説明】
【技術分野】
【０００１】
本発明は、通信の分野に関し、より詳しくは、信号送信方法、端末機器およびネットワーク機器に関する。
【背景技術】
【０００２】
マルチ入出力（Ｍｕｌｔｉｐｌｅ−Ｉｎｐｕｔ Ｍｕｌｔｉｐｌｅ−Ｏｕｔｐｕｔ、ＭＩＭＯ）技術は、ロングタームエボリューション（Ｌｏｎｇ Ｔｅｒｍ Ｅｖｏｌｕｔｉｏｎ、ＬＴＥ）システムのコア技術の一つであり、システムの伝送速度を大幅に向上させることができる。ビームフォーミングは、アレイアンテナに基づく信号前処理技術であり、各アンテナ素子上の送信信号の重みを調整することにより、指向性を有するビームを生成するものである。
【０００３】
従来技術では、端末機器が、一般的にビームを任意に選択して信号の伝送に用いるため、必ずしもビームフォーミング利得の高いビームが選択されるわけではなく、信号の伝送品質が保証されないという問題点があった。
【発明の概要】
【発明が解決しようとする課題】
【０００４】
本発明は、上記従来技術の問題点を解決するためになされるものであり、信号送信方法、端末機器およびネットワーク機器を提供し、端末機器がビームフォーミング利得の高いビームを用いて信号を伝送し、信号の伝送品質を向上させることができる。
【０００５】
本発明の第１の態様として、信号送信方法を提供する。当該方法は、端末機器が、複数のビームを用いて、ネットワーク機器が当該複数のビームにおいて目的ビームを決定するための第１の信号を送信するステップと、当該端末機器が、当該ネットワーク機器により送信された、当該ネットワーク機器により決定された目的ビームを当該端末機器に報知するための報知メッセージを受信するステップと、当該端末機器が、当該目的ビームを用いて第２の信号を送信するステップとを含む。
【０００６】
端末機器は複数のビームを用いてネットワーク機器が目的ビームを決定するための第１の信号を送信し、且つネットワーク機器により送信された、決定された目的ビームを端末機器に報知するための報知メッセージを受信し、当該目的ビームを用いて第２の信号を送信することにより、端末機器が複数のビームを用いて第１の信号を送信することで、ネットワーク機器は端末機器が第２の信号を伝送するためのビームフォーミング利得の高い目的ビームを決定するため、信号の伝送品質が向上する。
【０００７】
さらなる可能な実施形態において、当該方法は、当該端末機器が、当該端末機器に対応可能なビーム数Ｎ（ただしＮは２以上の正の整数である）を指示する第１の指示情報を当該ネットワーク機器に送信するステップと、当該端末機器が、当該ネットワーク機器により送信された、当該ネットワーク機器がＮ個のビームに対して設定したビーム識別ＩＤが付随される第２の指示情報を受信するステップとをさらに含み、当該端末機器が複数のビームを用いて第１の信号を送信する前記ステップは、当該端末機器が当該ビームＩＤに基づき、当該Ｎ個のビームを用いて当該第１の信号を送信することを含む。
【０００８】
端末機器が、対応可能なビーム数の最大値をネットワーク機器に送信し、且つネットワーク機器の設定したビームＩＤに対応するビームに基づき第１の信号を送信することにより、ビーム利用率を向上させる。
【０００９】
さらなる可能な実施形態において、当該第２の指示情報には、ビームＩＤと時間周波数リソースとのマッピング関係も付随され、当該端末機器が当該ビームＩＤに基づき、当該Ｎ個のビームを用いて当該第１の信号を送信することは、当該端末機器が当該ビームＩＤおよびビームＩＤと時間周波数リソースとの当該マッピング関係に基づき、当該Ｎ個のビームを用いて当該第１の信号を送信することを含む。
【００１０】
端末機器が、ネットワーク機器により指示された時間周波数リソースに基づき、ネットワーク機器に第１の信号を送信することにより、輻輳する時間周波数リソースを使用するためビームの測定を行う時に生じる干渉を軽減することができる。
【００１１】
さらなる可能な実施形態において、当該第１の信号にビームのビームＩＤが付随され、当該端末機器がネットワーク機器により送信された報知メッセージを受信する前記ステップは、当該端末機器が、当該ネットワーク機器により送信された、当該目的ビームのビームＩＤが付随される当該報知メッセージを受信することを含む。
【００１２】
端末機器がそれぞれのビームに対してビームＩＤを設定することにより、ネットワーク機器はビームＩＤに基づき異なるビームを区別して、目的ビームを決定することができる。
【００１３】
さらなる可能な実施形態において、当該方法は、当該端末機器が、当該端末機器と当該ネットワーク機器との間の遅延を指示するタイミングアドバンス（ＴＡ）値を取得するステップをさらに含み、当該端末機器が複数のビームを用いて第１の信号を送信する前記ステップは、当該端末機器が当該ＴＡ値に基づき、当該複数のビームを用いて当該第１の信号を送信することを含む。
【００１４】
端末機器がＴＡ値に基づき信号を送信することにより、端末機器とネットワーク機器との間における信号伝送の品質をさらに向上させることができる。
【００１５】
本発明の第２の態様として、信号送信方法を提供する。当該方法は、ネットワーク機器が、端末機器が複数のビームを用いて送信した第１の信号を受信するステップと、当該ネットワーク機器が当該第１の信号に基づき、当該複数のビームにおいて目的ビームを決定するステップと、当該ネットワーク機器が、当該ネットワーク機器により決定された当該目的ビームを当該端末機器に報知するための報知メッセージを当該端末機器に送信するステップとを含む。
【００１６】
ネットワーク機器が、端末機器が複数のビームを用いて送信した第１の信号を受信し、当該第１の信号に基づき目的ビームを決定し、且つ決定された目的ビームを端末機器に報知するための報知メッセージを端末機器に送信して、端末機器は当該目的ビームを用いて第２の信号を送信することにより、ネットワーク機器は端末機器が複数のビームを用いて送信した第１の信号に基づき、ビームフォーミング利得の高い目的ビームを決定し、端末機器は該目的ビームに基づき第２の信号を送信するため、信号の伝送品質が向上する。
【００１７】
さらなる可能な実施形態において、当該ネットワーク機器が、端末機器が複数のビームを用いて送信した第１の信号を受信する前に、当該方法は、当該ネットワーク機器が、当該端末機器により送信された、当該端末機器に対応可能なビーム数Ｎ（ただしＮは２以上の正の整数である）を指示する第１の指示情報を受信するステップと、当該ネットワーク機器が当該第１の指示情報に基づき、Ｎ個のビームにおけるそれぞれのビームに対してビーム識別ＩＤを設定するステップと、当該ネットワーク機器が、当該Ｎ個のビームのビームＩＤが付随される第２の指示情報を端末機器に送信するステップとをさらに含む。
【００１８】
ネットワーク機器が、端末機器が送信した端末機器に対応可能なビーム数の最大値を受信し、且つビームＩＤを設定することにより、端末機器はビームＩＤに対応するビームに基づき第１の信号を送信するため、ビーム利用率が向上する。
【００１９】
さらなる可能な実施形態において、当該方法は、当該ネットワーク機器が、ビームＩＤと時間周波数リソースとのマッピング関係を決定するステップをさらに含み、当該ネットワーク機器が当該端末機器に第２の指示情報を送信する前記ステップは、当該端末機器が、ビームＩＤと時間周波数リソースとの当該マッピング関係も付随される当該第２の指示情報を当該ネットワーク機器に送信することを含む。
【００２０】
ネットワーク機器がビームＩＤと時間周波数リソースとのマッピング関係を決定し、且つ端末機器に報知することにより、端末機器はネットワーク機器により指示された時間周波数リソースに基づきネットワーク機器に第１の信号を送信するため、輻輳する時間周波数リソースを使用するためビームの測定を行う時に生じる干渉を軽減することができる。
【００２１】
さらなる可能な実施形態において、当該第１の信号にビームのビームＩＤが付随され、当該ネットワーク機器が当該第１の信号に基づき、当該複数のビームにおいて目的ビームを決定する前記ステップは、当該ネットワーク機器が当該第１の信号に基づき、当該複数のビームのビームＩＤにおいて当該目的ビームのビームＩＤを決定することを含み、当該ネットワーク機器が当該端末機器に報知メッセージを送信する前記ステップは、当該ネットワーク機器が当該目的ビームのビームＩＤが付随される当該報知メッセージを当該端末機器に送信することを含む。
【００２２】
ネットワーク機器は、端末機器がそれぞれのビームに対して設定したビームＩＤに基づき、異なるビームを区別して、目的ビームを決定することができる。
【００２３】
さらなる可能な実施形態において、当該方法は、当該ネットワーク機器が、当該ネットワーク機器と当該端末機器との間の遅延を指示するＴＡ値を端末機器に送信するステップをさらに含む。
【００２４】
ネットワーク機器が端末機器にＴＡ値を送信することにより、端末機器がＴＡ値に基づき信号を送信するため、端末機器とネットワーク機器との間における信号伝送の品質をさらに向上させることができる。
【００２５】
本発明の第３の態様として、信号送信方法を提供する。当該方法は、端末機器が、端末機器に対応可能なビーム数Ｎ（ただしＮは１以上の正の整数である）を指示する第１の指示情報をネットワーク機器に送信するステップと、当該端末機器が、当該ネットワーク機器により送信された、当該ネットワーク機器がＮ個のビームに対して設定したビーム識別ＩＤが付随される第２の指示情報を受信するステップと、当該端末機器が、当該第２の指示情報に基づき、当該Ｎ個のビームを用いて第１の信号を送信するステップとを含む。
【００２６】
端末機器に対応可能なビーム数Ｎをネットワーク機器に報告することにより、ネットワーク機器はＮ個のビームに対してビームＩＤを設定し、且つ当該ビームＩＤが付随される第２の指示情報を端末機器に送信し、端末機器はビームＩＤに基づきネットワーク機器に第１の信号を送信して、端末機器はネットワーク機器の指示に基づき端末機器に対応可能なビーム数を用いて信号を送信するため、ビーム利用率が向上する。
【００２７】
さらなる可能な実施形態において、当該第２の指示情報には、ビームＩＤと時間周波数リソースとのマッピング関係も付随される。
【００２８】
さらなる可能な実施形態において、当該方法は、当該端末機器が、当該端末機器と当該ネットワーク機器との間の遅延を指示するタイミングアドバンス（ＴＡ）値を取得するステップをさらに含み、当該端末機器が当該Ｎ個のビームを用いて第１の信号を送信する前記ステップは、当該端末機器が当該ＴＡ値に基づき、当該Ｎ個のビームを用いて第１の信号を送信することを含む。
【００２９】
第４の態様として、信号送信方法を提供する。当該方法は、ネットワーク機器が、端末機器により送信された、当該端末機器に対応可能なビーム数Ｎ（ただしＮは１以上の正の整数である）を指示する第１の指示情報を受信するステップと、当該ネットワーク機器がＮ個のビームにおけるそれぞれのビームに対してビーム識別ＩＤを設定するステップと、当該ネットワーク機器が、当該ビームＩＤが付随される第２の指示情報を当該端末機器に送信するステップとを含む。
【００３０】
端末機器により報告された対応可能なビーム数Ｎを受信し、Ｎ個のビームに対してビームＩＤを設定し、且つ当該ビームＩＤが付随される第１の指示情報を端末機器に送信することにより、端末機器はビームＩＤに基づきネットワーク機器に第１の信号を送信して、端末機器はネットワーク機器の指示に基づき端末機器に対応可能なビーム数で信号を送信するため、ビーム利用率が向上する。
【００３１】
さらなる可能な実施形態において、当該方法は、当該ネットワーク機器がビームＩＤと時間周波数リソースとのマッピング関係を決定するステップをさらに含み、当該ネットワーク機器が当該端末機器に第２の指示情報を送信する前記ステップは、当該ネットワーク機器が、ビームＩＤと時間周波数リソースとのマッピング関係も付随される当該第２の指示情報を当該端末機器に送信することを含む。
【００３２】
さらなる可能な実施形態において、当該方法は、当該ネットワーク機器が、当該ネットワーク機器と当該端末機器との間の遅延を指示するＴＡ値を当該端末機器に送信するステップをさらに含む。
【００３３】
本発明の第５の態様として、端末機器を提供する。当該端末機器は、本発明の第１の態様による方法、または第１の態様に係る任意の可能な実施形態を実行するための各モジュールを含む。
【００３４】
本発明の第６の態様として、ネットワーク機器を提供する。当該ネットワーク機器は、本発明の第２の態様による方法、または第２の態様に係る任意の可能な実施形態を実行するための各モジュールを含む。
【００３５】
本発明の第７の態様として、端末機器を提供する。当該端末機器は、本発明の第３の態様による方法、または第３の態様に係る任意の可能な実施形態を実行するための各モジュールを含む。
【００３６】
本発明の第８の態様として、ネットワーク機器を提供する。当該ネットワーク機器は、本発明の第４の態様による方法、または第４の態様に係る任意の可能な実施形態を実行するための各モジュールを含む。
【００３７】
本発明の第９の態様として、通信システムを提供する。当該通信システムは、本発明の第５の態様による端末機器と、本発明の第６の態様によるネットワーク機器とを含む。
【００３８】
本発明の第１０の態様として、通信システムを提供する。当該通信システムは、本発明の第７の態様による端末機器と、本発明の第８の態様によるネットワーク機器とを含む。
【００３９】
本発明の第１１の態様として、端末機器を提供する。当該端末機器は、プロセッサと、メモリとを含み、
前記メモリにプログラムが記憶され、前記プロセッサは、前記プログラムを実行することで、本発明の第１の態様、または第１の態様に係る任意の可能な実施形態による信号送信方法を実行する。
【００４０】
本発明の第１２の態様として、ネットワーク機器を提供する。当該ネットワーク機器は、プロセッサと、メモリとを含み、
前記メモリにプログラムが記憶され、前記プロセッサは、前記プログラムを実行することで、本発明の第２の態様、または第２の態様に係る任意の可能な実施形態による信号送信方法を実行する。
【００４１】
本発明の第１３の態様として、端末機器を提供する。当該端末機器は、プロセッサと、メモリとを含み、
前記メモリにプログラムが記憶され、前記プロセッサは、前記プログラムを実行することで、本発明の第３の態様、または第３の態様に係る任意の可能な実施形態による信号送信方法を実行する。
【００４２】
本発明の第１４の態様として、ネットワーク機器を提供する。当該ネットワーク機器は、プロセッサと、メモリとを含み、
前記メモリにプログラムが記憶され、前記プロセッサは、前記プログラムを実行することで、本発明の第４の態様、または第４の態様に係る任意の可能な実施形態による信号送信方法を実行する。
【００４３】
本発明の第１５の態様として、コンピュータ記憶媒体を提供する。当該コンピュータ記憶媒体には、本発明の第１の態様、または第１の態様に係る任意の可能な実施形態による信号送信方法を実行するよう指示するためのプログラムコードが記憶される。
【００４４】
本発明の第１６の態様として、コンピュータ記憶媒体を提供する。当該コンピュータ記憶媒体には、本発明の第２の態様、または第２の態様に係る任意の可能な実施形態による信号送信方法を実行するよう指示するためのプログラムコードが記憶される。
【００４５】
本発明の第１７の態様として、コンピュータ記憶媒体を提供する。当該コンピュータ記憶媒体には、本発明の第３の態様、または第３の態様に係る任意の可能な実施形態による信号送信方法を実行するよう指示するためのプログラムコードが記憶される。
【００４６】
本発明の第１８の態様として、コンピュータ記憶媒体を提供する。当該コンピュータ記憶媒体には、本発明の第４の態様、または第４の態様に係る任意の可能な実施形態による信号送信方法を実行するよう指示するためのプログラムコードが記憶される。
【発明の効果】
【００４７】
上記のように構成される発明において、端末機器が複数のビームを用いて第１の信号を送信し、ネットワーク機器が第１の信号に基づき複数のビームにおいて目的ビームを決定し、且つ決定された目的ビームを端末機器に報知するための報知メッセージを端末機器に送信し、端末機器が該目的ビームを用いて第２の信号を送信することにより、端末機器が複数のビームを用いて第１の信号を送信して、ネットワーク機器は端末機器が第２の信号を伝送するためのビームフォーミング利得の高い目的ビームを決定するため、信号の伝送品質が向上する。
【図面の簡単な説明】
【００４８】
本願の実施例に係る発明を明瞭に説明するために、以下、実施例または従来技術の説明に用いられる図面を簡単に説明する。当然ながら、以下の説明に係る図は、本発明の一部の実施例に過ぎず、当業者は創造的な作業を行うことなく、これらの図からその他の図を得ることもできる。
【００４９】
【図１】本発明の実施例における一つの応用場面を概略的に示す図である。
【図２】本発明の一実施例による信号送信方法を概略的に示す図である。
【図３】本発明のもう一つの実施例による信号送信方法を概略的に示す図である。
【図４】本発明の一実施例による信号送信方法のプロセスを概略的に示す図である。
【図５】本発明のもう一つの実施例による信号送信方法のプロセスを概略的に示す図である。
【図６】本発明の実施例による端末機器を概略的に示すブロック図である。
【図７】本発明の一実施例によるネットワーク機器を概略的に示すブロック図である。
【図８】本発明の一実施例による端末機器を概略的に示すブロック図である。
【図９】本発明の一実施例によるネットワーク機器を概略的に示すブロック図である。
【図１０】本発明の一実施例による信号送信システムを概略的に示すブロック図である。
【図１１】本発明のもう一つの実施例による信号送信システムを概略的に示すブロック図である。
【図１２】本発明の一実施例による端末機器の構造を概略的に示す図である。
【図１３】本発明の一実施例によるネットワーク機器の構造を概略的に示す図である。
【図１４】本発明の一実施例による端末機器の構造を概略的に示す図である。
【図１５】本発明の一実施例によるネットワーク機器の構造を概略的に示す図である。
【発明を実施するための形態】
【００５０】
本発明の実施例における図を参照しながら、各実施例による発明を明瞭かつ完全に説明する。当然ながら、説明される実施例は、本発明の全ての実施例ではなく、その一部に過ぎない。当業者がこれらの実施例に基づき、創造的な作業を行うことなく得られるその他の全ての実施例は、いずれも本発明の保護範囲に含まれる。
【００５１】
本願の実施例に係る発明は、グローバル移動体通信（Ｇｌｏｂａｌ Ｓｙｓｔｅｍ ｏｆ Ｍｏｂｉｌｅ ｃｏｍｍｕｎｉｃａｔｉｏｎ、略称ＧＳＭ）システム、符号分割多元接続（Ｃｏｄｅ Ｄｉｖｉｓｉｏｎ Ｍｕｌｔｉｐｌｅ Ａｃｃｅｓｓ、略称ＣＤＭＡ）システム、広帯域符号分割多元接続（Ｗｉｄｅｂａｎｄ Ｃｏｄｅ Ｄｉｖｉｓｉｏｎ Ｍｕｌｔｉｐｌｅ Ａｃｃｅｓｓ、略称ＷＣＤＭＡ）システム、汎用パケット無線サービス（Ｇｅｎｅｒａｌ Ｐａｃｋｅｔ Ｒａｄｉｏ Ｓｅｒｖｉｃｅ、略称ＧＰＲＳ）、ロングタームエボリューション（Ｌｏｎｇ Ｔｅｒｍ Ｅｖｏｌｕｔｉｏｎ、略称ＬＴＥ）システム、ＬＴＥ周波数分割複信（Ｆｒｅｑｕｅｎｃｙ Ｄｉｖｉｓｉｏｎ Ｄｕｐｌｅｘ、略称ＦＤＤ）システム、ＬＴＥ時分割複信（Ｔｉｍｅ Ｄｉｖｉｓｉｏｎ Ｄｕｐｌｅｘ、略称ＴＤＤ）システム、ユニバーサル移動体通信システム（Ｕｎｉｖｅｒｓａｌ Ｍｏｂｉｌｅ Ｔｅｌｅｃｏｍｍｕｎｉｃａｔｉｏｎ Ｓｙｓｔｅｍ、略称ＵＭＴＳ）、ワイマックス（Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、略称ＷｉＭＡＸ）システム等既存の通信システム、これから登場する第５世代移動通信（５ｔｈ Ｇｅｎｅｒａｔｉｏｎ、以下５Ｇという）システムなど様々な通信システムに用いることができる。
【００５２】
特に、本願の実施例による発明は、非直交多元接続技術に基づく様々な通信システム、例えば、散在符号多重接続（Ｓｐａｒｓｅ Ｃｏｄｅ Ｍｕｌｔｉｐｌｅ Ａｃｃｅｓｓ、略称ＳＣＭＡ）システム、低密度シグネチャ（Ｌｏｗ Ｄｅｎｓｉｔｙ Ｓｉｇｎａｔｕｒｅ、略称ＬＤＳ）システム等に用いることができ、ＳＣＭＡシステムおよびＬＤＳシステムは通信分野でその他の名称で称されることもある。また、本願の実施形態に係る発明は、非直交多元接続技術を用いたマルチキャリア伝送システム、例えば、非直交多元接続技術を用いる直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、略称ＯＦＤＭ）、フィルタバンクマルチキャリア（Ｆｉｌｔｅｒ Ｂａｎｋ Ｍｕｌｔｉ−Ｃａｒｒｉｅｒ、略称ＦＢＭＣ）、汎用周波数分割多重（Ｇｅｎｅｒａｌｉｚｅｄ Ｆｒｅｑｕｅｎｃｙ Ｄｉｖｉｓｉｏｎ Ｍｕｌｔｉｐｌｅｘｉｎｇ、略称ＧＦＤＭ）、フィルター処理された直交周波数分割多重（Ｆｉｌｔｅｒｅｄ−ＯＦＤＭ、略称Ｆ−ＯＦＤＭ）システム等に用いることができる。
【００５３】
本発明の実施例による端末機器は、ユーザ機器（Ｕｓｅｒ Ｅｑｕｉｐｍｅｎｔ、略称ＵＥ）、アクセス端末、加入者ユニット、加入者局、移動局、遠隔局、遠隔端末、移動機器、ユーザ端末、端末、無線通信機器、ユーザ代理機器、またはユーザ装置であってもよい。そのうちアクセス端末は、セルラーホン、コードレス電話、セッション開始プロトコル（Ｓｅｓｓｉｏｎ Ｉｎｉｔｉａｔｉｏｎ Ｐｒｏｔｏｃｏｌ、略称ＳＩＰ）電話、無線ローカルループ（Ｗｉｒｅｌｅｓｓ Ｌｏｃａｌ Ｌｏｏｐ、略称ＷＬＬ）局、携帯情報端末（Ｐｅｒｓｏｎａｌ Ｄｉｇｉｔａｌ Ａｓｓｉｓｔａｎｔ、略称ＰＤＡ）、無線通信機能を備えるハンドヘルド機器、コンピューティング機器、無線モデムに接続されたその他の処理機器、車載機器、ウェアラブル端末、５Ｇネットワークで動作する端末機器または進化型地上波公共移動通信ネットワーク（Ｐｕｂｌｉｃ Ｌａｎｄ Ｍｏｂｉｌｅ Ｎｅｔｗｏｒｋ、略称ＰＬＭＮ）で動作する端末機器等であってもよく、本発明は特に限定しない。
【００５４】
本発明の実施例によるネットワーク機器は、端末機器と通信するための機器であってもよい。当該ネットワーク機器は、ＧＳＭもしくはＣＤＭＡシステムで動作する基地局（Ｂａｓｅ Ｔｒａｎｓｃｅｉｖｅｒ Ｓｔａｔｉｏｎ、略称ＢＴＳ）、ＷＣＤＭＡシステムで動作する基地局（ＮｏｄｅＢ、略称ＮＢ）、ＬＴＥシステムで動作する進化型基地局（Ｅｖｏｌｕｔｉｏｎａｌ ＮｏｄｅＢ、略称ｅＮＢまたはｅＮｏｄｅＢ）、またはクラウド無線アクセスネットワーク（Ｃｌｏｕｄ Ｒａｄｉｏ Ａｃｃｅｓｓ Ｎｅｔｗｏｒｋ、略称ＣＲＡＮ）環境で動作する無線コントローラであってもよく、中継局、アクセスポイント、車載機器、ウェアラブル端末および５Ｇネットワーク対応のネットワーク機器またはＰＬＭＮネットワークで動作するネットワーク機器等であってもよく、本発明は特に限定しない。
【００５５】
図１は、本発明における一つの応用場面を概略的に示す図である。図１に示す通信システムは、端末機器１０と、ネットワーク機器２０とを含んでもよい。ネットワーク機器２０は、コアネットワークに接続されて端末機器１０に通信サービスを提供する。端末機器１０は、ネットワーク機器２０の送信した同期信号、ブロードキャスト信号などを検索することで、ネットワークに接続してネットワークと通信を行う。図中の矢印は、端末機器１０とネットワーク機器２０との間におけるセルラーリンクで行われる上り／下り伝送を表す。
【００５６】
５Ｇシステムにおいて、伝送速度に関する要件を満たすために、高周波数帯（中心周波数は６ＧＨｚ以上であり、典型的なのは例えば２８ＧＨｚである）におけるデータ伝送への対応が求められる。高周波数帯においてデータ伝送を行う際に、より速い伝送速度を得るために、マルチ入出力技術を利用する必要がある。
【００５７】
従来技術では、端末機器が一般的にビームを任意に選択して信号の伝送に用いるため、必ずしもビームフォーミング利得の高いビームが選択されるわけではなく、信号の伝送品質が保証されない。
【００５８】
図２は、本発明の実施例による信号送信方法２００を概略的に示す図である。方法２００は、端末機器により実行されてもよい。方法２００は、ステップＳ２１０〜ステップＳ２３０を含み、
ステップＳ２１０において、端末機器が、複数のビームを用いて、ネットワーク機器が当該複数のビームにおいて目的ビームを決定するための第１の信号を送信する。
ステップＳ２２０において、当該端末機器が、当該ネットワーク機器により送信された、当該ネットワーク機器により決定された目的ビームを当該端末機器に報知するための報知メッセージを受信する。
ステップＳ２３０において、当該端末機器が、当該目的ビームを用いて第２の信号を送信する。
【００５９】
より詳しくは、端末機器が複数のビームを用いて基地局に第１の信号を送信することにより、基地局は受信した複数の第１の信号に基づき、ビームフォーミング利得の最も高い目的ビームを決定し、且つ決定された目的ビームを端末機器に報知するための報知メッセージを端末機器に送信して、端末機器は目的ビームを用いてその他の信号（第２の信号とする）を送信するため、信号の伝送品質が保証される。
【００６０】
本実施例では、第１の信号が上り信号であり、より詳しくは、復調基準信号（Ｄｅｍｏｄｕｌａｔｉｏｎ Ｒｅｆｅｒｅｎｃｅ Ｓｉｇｎａｌ、ＤＭＲＳ）、物理アップリンク制御チャネル（Ｐｈｙｓｉｃａｌ Ｕｐｌｉｎｋ Ｃｏｎｔｒｏｌ Ｃｈａｎｎｅｌ、ＰＵＣＣＨ）およびサウンディング参照信号（Ｓｏｕｎｄｉｎｇ Ｒｅｆｅｒｅｎｃｅ Ｓｉｇｎａｌ、ＳＲＳ）のいずれかであってもよい。第１の信号と第２の信号は、同一であっても異なってもよく、本発明はこれについて限定しない。
【００６１】
報知メッセージは、無線リソース制御（Ｒａｄｉｏ Ｒｅｓｏｕｒｃｅ Ｃｏｎｔｒｏｌ、ＲＲＣ）メッセージ、下りリンク制御情報（Ｄｏｗｎｌｉｎｋ Ｃｏｎｔｒｏｌ Ｉｎｆｏｒｍａｔｉｏｎ、ＤＣＩ）シグナリング、またはハンドオーバコマンド等であってもよく、本発明はこれについて限定しない。
【００６２】
なお、端末機器が複数のビームを用いて第１の信号を送信するのは、同時に送信しても、周期的に送信してもよい。本発明はこれについて限定しない。
【００６３】
異なるビームは、ビーム方向が異なるビーム、またはビーム方向が同一のビームと見なすことができ、説明の便宜上、本実施例では、異なるビームで異なるビーム方向を示すことで説明する。
【００６４】
したがって、本実施例による信号送信方法において、端末機器は複数のビームを用いてネットワーク機器が目的ビームを決定するための第１の信号を送信し、且つネットワーク機器により送信された、決定された目的ビームを端末機器に報知するための報知メッセージを受信し、当該目的ビームを用いて第２の信号を送信することにより、端末機器が複数のビームを用いて信号を送信して、ネットワーク機器が、端末機器が信号を伝送するためのビームフォーミング利得の高い目的ビームを決定するため、信号の伝送品質が向上する。
【００６５】
一つの実施形態において、一実施例において、当該第１の信号にビームのビーム識別（Ｉｄｅｎｔｉｔｙ、ＩＤ）が付随される。当該端末機器が、ネットワーク機器により送信された報知メッセージを受信する前記ステップは、該端末機器が、ネットワーク機器により送信された当該目的ビームのビームＩＤが付随される当該報知メッセージを受信することを含む。
【００６６】
より詳しくは、端末機器が各ビームをマークし、且つ第１の信号を送信するために用いられたビームのビームＩＤを当該第１の信号に付随させることにより、ネットワーク機器は端末機器により送信された複数のビームにおいて目的ビームを決定した後、報知メッセージを端末機器に返信する時、報知メッセージに目的ビームのビームＩＤを付随することができる。これにより、端末機器が当該目的ビームのビームＩＤに基づき目的ビームを識別して、目的ビームを用いて信号を送信するため、信号の伝送品質が保証される。
【００６７】
なお、本実施例では、端末機器が、第１の信号にビームのその他の特徴情報を付随させることにより、端末機器およびネットワーク機器は当該特徴情報に基づき、異なるビームを区別して目的ビームを決定してもよい。本発明は当該特徴情報について限定しない。
【００６８】
一つの実施形態において、一実施例において、当該方法は、当該端末機器が、当該端末機器に対応可能なビーム数Ｎ（ただしＮは２以上の正の整数である）を指示する第１の指示情報を当該ネットワーク機器に送信するステップと、当該端末機器が、当該ネットワーク機器により送信された、当該ネットワーク機器がＮ個のビームに対して設定したビームＩＤが付随される第２の指示情報を受信するステップとをさらに含む。当該端末機器が複数のビームを用いて第１の信号を送信する前記ステップは、当該端末機器が当該ビームＩＤに基づき、当該Ｎ個のビームを用いて当該第１の信号を送信することを含む。
【００６９】
より詳しくは、端末機器が、対応可能なビーム数の最大値を決定し、当該ビームの数はアンテナの数により決まってもよい。端末機器が、対応可能なビーム数の最大値Ｎ（ただしＮは２以上である）をネットワーク機器に送信することにより、ネットワーク機器はＮ個のビームに対してビームＩＤを設定し、且つ第２の指示情報によってＮ個のビームに対して設定されたビームＩＤを端末機器に送信する。端末機器が対応可能なビーム数の最大値をネットワーク機器に報告し、ネットワーク機器がそれぞれのビームに時間周波数リソースを割り当て、端末機器がビームＩＤに対応するビームを用いて第１信号を送信することにより、端末機器はすべてのビームを充分に利用して第１の信号を送信することができ、ビーム利用率が向上する。
【００７０】
なお、ネットワーク機器は、予めビームＩＤに対応する時間周波数リソースを端末機器と取り決めることにより、ネットワーク機器が第１の信号のビームＩＤの送信を報知した後、端末機器はビームＩＤに基づき対応する時間周波数リソースを決定するように構成されてもよく、本発明はこれについて限定しない。
【００７１】
一つの実施形態において、当該第２の指示情報には、ビームＩＤと時間周波数リソースとのマッピング関係も付随される。当該端末機器が当該ビームＩＤに基づき、当該Ｎ個のビームを用いて当該第１の信号を送信することは、当該端末機器が当該ビームＩＤおよびビームＩＤと時間周波数リソースとの当該マッピング関係に基づき、当該Ｎ個のビームを用いて当該第１の信号を送信することを含む。
【００７２】
より詳しくは、端末機器の受信した第２の指示情報には、ビームＩＤと時間周波数リソースとのマッピング関係が付随されてもよく、ビームＩＤと時間周波数リソースとの当該マッピング関係は、ネットワーク機器によってそれぞれのビームＩＤに対して設定されるため、端末機器はビームＩＤに対応するビームおよびビームＩＤに対応する時間周波数リソースを使用して、ネットワーク機器に第１の信号を送信することができる。すなわち、端末機器は、ネットワーク機器により指示された時間周波数リソースに基づき、ネットワーク機器に第１の信号を送信することで、その他の機器と同一の時間周波数リソースを使用するためビームの測定を行う時に生じる干渉を軽減することができる。
【００７３】
なお、異なるビームＩＤに対応する時間周波数リソースは、同一であっても異なってもよい。例えば、端末機器は、時間周波数リソースに対して、ポーリング方法で異なるビームの信号を送信してもよい。
【００７４】
一つの実施形態において、当該方法は、当該端末機器が、当該端末機器と当該ネットワーク機器との間の遅延を指示するタイミングアドバンス（ＴＡ）値を取得するステップをさらに含む。当該端末機器が複数のビームを用いて第１の信号を送信する前記ステップは、当該端末機器が当該ＴＡ値に基づき、当該複数のビームを用いて当該第１の信号を送信することを含む。
【００７５】
より詳しくは、端末機器およびネットワーク機器が信号を送信する時、特に端末機器が属するネットワーク機器のカバーする範囲で長距離移動する場合、またはその他のネットワーク機器のカバーする範囲まで移動する場合に遅延が生じる。この時に、端末機器は、タイミングアドバンス（ＴＡ）値を取得し、当該ＴＡ値に基づき信号を送信する際の前進時間を決定することができる。より詳しくは、端末機器で信号を送信する際の前進時間は、必要に応じて、当該ＴＡ値よりわずか大きいか、またはわずか小さくすることにより、端末機器とネットワーク機器との間における信号伝送の品質をさらに向上させることができる。
【００７６】
端末機器は、現時点に属するネットワーク機器（第１のネットワーク機器と称する）から別のネットワーク機器（第２のネットワーク機器と称する）に移動する時、第１のネットワーク機器により送信されたハンドオーバコマンドを受信し、且つ当該ハンドオーバコマンドに基づきハンドオーバを実行する。端末機器が第１のネットワーク機器のカバーする範囲にある時、第１ネットワーク機器により、端末機器に対して目的ビームを決定し、端末機器が第２のネットワーク機器のカバーする範囲に移動する時、第２のネットワーク機器により、端末機器に対して目的ビームを決定する。これにより、端末機器が第２のネットワーク機器のカバーする範囲に移動する時、第２のネットワーク機器は端末機器に対して目的ビームを決定しネットワークリソースを割り当て、且つ第１のネットワーク機器に報知し、第１のネットワーク機器はハンドオーバコマンドによって目的ビームおよびネットワークリソースの割り当て情報を端末機器に送信し、端末機器は目的ビームを用いて第２のネットワーク機器に第２の信号を送信する。
【００７７】
したがって、本実施例による信号送信方法において、端末機器が複数のビームを用いて、ネットワーク機器が目的ビームを決定するための第１の信号を送信し、且つネットワーク機器により送信された、決定された目的ビームを端末機器に報知するための報知メッセージを受信し、当該目的ビームを用いて第２の信号を送信することにより、端末機器が複数のビームを用いて信号を送信して、ネットワーク機器は端末機器が信号を伝送するためのビームフォーミング利得の高い目的ビームを決定するため、信号の伝送品質が向上する。
【００７８】
図３は、本発明の一実施例による信号送信方法３００を概略的に示す図である。方法３００は、ネットワーク機器により実行されてもよい。方法３００は、ステップＳ３１０〜ステップＳ３３０を含み、
ステップＳ３１０において、ネットワーク機器が、端末機器が複数のビームを用いて送信した第１の信号を受信する。
ステップＳ３２０において、当該ネットワーク機器が、当該第１の信号に基づき、当該複数のビームにおいて目的ビームを決定する。
ステップＳ３３０において、当該ネットワーク機器が、当該ネットワーク機器により決定された当該目的ビームを当該端末機器に報知するための報知メッセージを当該端末機器に送信する。
【００７９】
より詳しくは、ネットワーク機器が、端末機器が複数のビームを用いて送信した複数の第１の信号を受信し、且つ複数の第１の信号の信号品質などに基づき複数のビームにおいて目的ビームを決定し、報知メッセージにより、決定された当該目的ビームを端末機器に報知することにより、端末機器は目的ビームを用いて後続の信号を送信するため、信号の伝送品質が保証される。
【００８０】
なお、ネットワーク機器の受信した第１の信号の数は、端末機器により送信された信号の数より少ない場合もあり、すなわち、あるビームを用いて送信した第１の信号の信号品質が弱すぎるため、ネットワーク機器により検出されない場合がある。
【００８１】
なお、本実施例において、端末機器側について説明される対話機能および関連する特徴、機能などは、ネットワーク機器側に関する説明に対応するため、説明を省略する。
【００８２】
したがって、本実施例による信号送信方法において、ネットワーク機器が、端末機器が複数のビームを用いて送信した第１の信号を受信し、当該第１の信号に基づき目的ビームを決定し、且つ決定された目的ビームを端末機器に報知するための報知メッセージを端末機器に送信して、端末機器が当該目的ビームを用いて第２の信号を送信することにより、ネットワーク機器は端末機器が複数のビームを用いて送信した第１の信号に基づき、ビームフォーミング利得の高い目的ビームを決定し、端末機器は当該目的ビームに基づき第２の信号を送信するため、信号の伝送品質が向上する。
【００８３】
一つの実施形態において、当該ネットワーク機器が、端末機器が複数のビームを用いて送信した第１の信号を受信する前に、当該方法は、当該ネットワーク機器が、当該端末機器により送信された、当該端末機器に対応可能なビーム数Ｎ（ただしＮは２以上の正の整数である）を指示する第１の指示情報を受信するステップと、当該ネットワーク機器が、当該第１の指示情報に基づき、Ｎ個のビームにおけるそれぞれのビームに対してビーム識別ＩＤを設定するステップと、当該ネットワーク機器が、当該Ｎ個のビームのビームＩＤが付随される第２の指示情報を当該端末機器に送信するステップとをさらに含む。
【００８４】
より詳しくは、ネットワーク機器が、端末機器が自発的に報告する対応可能なビーム数の最大値、またはネットワーク機器が要求メッセージを送信して得られる当該ビームの数の最大値（Ｎ）を受信する。ネットワーク機器は、これらＮ個のビームに対してビームＩＤを設定し、且つ第２の指示情報により端末機器に報知する。
【００８５】
一つの実施形態において、当該方法は、当該ネットワーク機器が、ビームＩＤと時間周波数リソースとのマッピング関係を決定するステップをさらに含む。当該ネットワーク機器が当該端末機器に第２の指示情報を送信する前記ステップは、当該ネットワーク機器が、ビームＩＤと時間周波数リソースとの当該マッピング関係も付随される当該第２の指示情報を端末機器に送信することを含む。
【００８６】
より詳しくは、ネットワーク機器が、端末機器に対応可能なビーム数の最大値であるＮ個のビームのそれぞれに対してビームＩＤを設定し、ネットワーク機器が時間周波数リソースの使用状況に基づきそれぞれのビームに対して割り当てた対応する時間周波数リソースをも当該第２の指示情報に付随させて、端末機器に報知する。ネットワーク機器がアイドル状態にある時間周波数リソースを端末に割り当てることにより、信号伝送の効率を向上させる。
【００８７】
例えば、ネットワーク機器は、端末機器に対応可能なビーム数の最大値が４であることを決定したら、これら４つのビームに対してそれぞれビームＩＤ、すなわちＩＤ１、ＩＤ２、ＩＤ３およびＩＤ４を設定する。ネットワーク機器がそれぞれのビームＩＤと時間周波数リソースとのマッピング関係を以下のとおり決定する：ＩＤ１は時間周波数リソース１に対応し、ＩＤ２は時間周波数リソース２に対応し、ＩＤ３は時間周波数リソース３に対応し、ＩＤ４は時間周波数リソース４に対応する。これにより、ネットワーク機器が、ビームＩＤと時間周波数リソースとのマッピング関係も付随される第２の指示情報を端末機器に送信した後、端末機器はそれぞれのビームＩＤに対応する時間周波数リソースに基づき、第１の信号を送信することができる。
【００８８】
一つの実施形態において、当該第１の信号にビームのビームＩＤが付随される。当該ネットワーク機器が当該第１の信号に基づき、当該複数のビームにおいて目的ビームを決定する前記ステップは、当該ネットワーク機器が、当該第１の信号に基づき、当該複数のビームのビームＩＤにおいて当該目的ビームのビームＩＤを決定することを含む。当該ネットワーク機器が当該端末機器に報知メッセージを送信する前記ステップは、当該ネットワーク機器が、当該目的ビームのビームＩＤが付随される報知メッセージを当該端末機器に送信することを含む。
【００８９】
より詳しくは、ネットワーク機器が、端末機器により送信した、ビームＩＤが付随される第１の信号を受信し、当該第１の信号に基づき目的ビームを決定し、且つ報知メッセージに目的ビームのビームＩＤを付随させることにより、端末機器は当該目的ビームを識別し、且つ目的ビームにより第２の信号を送信することができる。
【００９０】
一つの実施形態において、当該方法は、当該ネットワーク機器が、当該ネットワーク機器と当該端末機器との間の遅延を指示するＴＡ値を当該端末機器に送信するステップをさらに含む。
【００９１】
端末機器は、タイミングアドバンス（ＴＡ）値を取得し、当該ＴＡ値に基づき信号を送信する際の前進時間を決定することにより、端末機器とネットワーク機器との間における信号伝送の品質をさらに向上させることができる。
【００９２】
したがって、本実施例による信号送信方法において、ネットワーク機器が、端末機器が複数のビームを用いて送信した第１の信号を受信し、当該第１の信号に基づき目的ビームを決定し、且つ決定された目的ビームを端末機器に報知するための報知メッセージを端末機器に送信して、端末機器が当該目的ビームを用いて第２の信号を送信することにより、ネットワーク機器は端末機器が複数のビームを用いて送信した第１の信号に基づき、ビームフォーミング利得の高い目的ビームを決定し、端末機器は当該目的ビームに基づき第２の信号を送信するため、信号の伝送品質が向上する。
【００９３】
以下、図４を参照しながら本発明の実施例について詳しく説明する。本実施例の説明に用いられる各用語は、上記各実施例と同じ意味である。
【００９４】
なお、説明される内容は、当業者が本実施例を理解しやすくするためのものに過ぎず、本実施例の範囲に限定を加えるものではない。以下のステップを含む。
【００９５】
ステップ４０１：端末機器が、端末機器に対応可能なビーム数の最大値Ｎを指示する第１の指示情報をネットワーク機器に送信する。
【００９６】
ステップ４０２：ネットワーク機器が、これらＮ個のビームに対してビームＩＤを設定する。
【００９７】
ステップ４０３：ネットワーク機器が、ビームＩＤと時間周波数リソースとのマッピング関係を決定する。
【００９８】
ステップ４０４：ネットワーク機器が、ビームＩＤと時間周波数リソースとのマッピング関係が付随される第２の指示情報を端末機器に送信する。
【００９９】
ステップ４０５：端末機器が、Ｎ個のビームにおけるそれぞれのビームを用いて、ビームＩＤに対応する時間周波数リソースに基づきネットワーク機器に第１の信号を送信する。
【０１００】
ステップ４０６：ネットワーク機器が、第１の信号に基づき、Ｎ個のビームにおいて目的ビームを決定する。
【０１０１】
ステップ４０７：ネットワーク機器が、決定された当該目的ビームを端末機器に報知するための報知メッセージを端末機器に送信する。
【０１０２】
ステップ４０８：端末機器が、目的ビームを用いてネットワーク機器に第２の信号を送信する。
【０１０３】
したがって、本実施例による信号送信方法において、端末機器が、対応可能なビーム数Ｎをネットワーク機器に送信し、ネットワーク機器がＮ個のビームに対してビームＩＤを設定し、ビームＩＤと時間周波数リソースとのマッピング関係を決定し、且つ端末機器に第１の指示情報を送信して端末機器に報知し、ビームＩＤに対応する時間周波数リソースに基づき第１の信号を送信し、当該第１の信号に基づき目的ビームを決定し、且つ決定された目的ビームを端末機器に報知するための報知メッセージを端末機器に送信し、端末機器が当該目的ビームを用いて第２の信号を送信することにより、ネットワーク機器は端末機器が複数のビームを用いて送信した第１の信号に基づき、ビームフォーミング利得の高い目的ビームを決定し、端末機器は当該目的ビームに基づき第２の信号を伝送するため、信号の伝送品質が向上する。
【０１０４】
本発明の様々な実施例において、上記各ステップにつけた番号は、実行される順序を限定するものではなく、各ステップの実行される順序はその機能および内部倫理により決まるため、本実施例を実施するプロセスに対して限定を加えるものではない。
【０１０５】
以上を要約すると、従来技術では、端末機器が、一般的にビームを任意に選択して信号の伝送に用いるのに対して、本実施例は、新規な信号伝送方法を提供する。
【０１０６】
図５は、本発明のもう一つの実施例を示す。本実施例に用いられる各用語は、上記各実施例と同じ意味である。
【０１０７】
なお、説明される内容は、当業者が本実施例を理解しやすくするためのものに過ぎず、本実施例の範囲に限定を加えるものではない。以下のステップを含む。
【０１０８】
ステップ５０１：端末機器が、端末機器に対応可能なビーム数の最大値Ｎ（ただしＮは１以上である）を指示する第１の指示情報をネットワーク機器に送信する。
【０１０９】
ステップ５０２：ネットワーク機器が、これらＮ個のビームに対してビームＩＤを設定する。
【０１１０】
ステップ５０３：ネットワーク機器が、ビームＩＤと時間周波数リソースとのマッピング関係を決定する。
【０１１１】
ステップ５０３は実行されなくてもよい。端末機器が予めネットワーク機器と、異なるビームＩＤに対応する時間周波数リソースを取り決めることにより、ネットワーク機器はビームＩＤに基づき第１の信号を送信するように構成されてもよい。
【０１１２】
ステップ５０４：ネットワーク機器が、ビームＩＤ、ビームＩＤと時間周波数リソースとのマッピング関係が付随される第２の指示情報を端末機器に送信する。
【０１１３】
ステップ５０３を実行しない場合、ステップ５０４で、第２の指示情報にビームＩＤが付随される。
【０１１４】
ステップ５０５：端末機器が、ＴＡ値を取得する。
【０１１５】
ステップ５０６：端末機器が、ＴＡ値に基づきネットワーク機器に第１の信号を送信する。
【０１１６】
端末機器がＴＡ値を取得し、当該ＴＡ値に基づき第１の信号を送信することにより、信号の伝送品質を向上させることができる。
【０１１７】
したがって、本実施例による信号送信方法において、端末機器に対応可能なビーム数Ｎをネットワーク機器に報告して、ネットワーク機器がＮ個のビームに対してビームＩＤを設定し、且つ当該ビームＩＤが付随される第１の指示情報を端末機器に送信し、端末機器がビームＩＤに基づきネットワーク機器に第１の信号を送信することにより、端末機器はネットワーク機器の指示に基づき、端末機器に対応可能なビーム数で信号を送信するため、ビーム利用率が向上する。
【０１１８】
上記のとおり本実施例による信号送信方法について詳しく説明したが、以下、本実施例によるネットワーク機器および端末機器について説明する。
【０１１９】
図６は、本発明の実施例による端末機器６００を概略的に示すブロック図である。端末機器６００は、送信モジュール６１０と、受信モジュール６２０とを含み、
送信モジュール６１０は、複数のビームを用いて、ネットワーク機器が当該複数のビームにおいて目的ビームを決定するための第１の信号を送信し、
受信モジュール６２０は、ネットワーク機器により送信された、当該ネットワーク機器により決定された当該目的ビームを当該端末機器に報知するための報知メッセージを受信し、
さらに、送信モジュール６１０は、当該目的ビームを用いて第２の信号を送信する。
【０１２０】
一つの実施形態において、送信モジュール６１０はさらに、当該端末機器に対応可能なビーム数Ｎ（ただしＮは２以上の正の整数である）を指示する第１の指示情報を当該ネットワーク機器に送信し、受信モジュール６２０はさらに、当該ネットワーク機器により送信された、当該当該ネットワーク機器がＮ個のビームに対して設定したビーム識別ＩＤが付随される第２の指示情報を受信する。より詳しくは、送信モジュール６１０が、当該ビームＩＤに基づき、当該Ｎ個のビームを用いて当該第１の信号を送信する。
【０１２１】
一つの実施形態において、当該第２の指示情報には、ビームＩＤと時間周波数リソースとのマッピング関係も付随される。より詳しくは、送信モジュール６１０が、当該ビームＩＤと当該ビームＩＤと時間周波数リソースとのマッピング関係に基づき、当該Ｎ個のビームを用いて当該第１の信号を送信する。
【０１２２】
一つの実施形態において、当該第１の信号にビームのビームＩＤが付随される。より詳しくは、受信モジュール６２０が、当該ネットワーク機器により送信された、当該目的ビームのビームＩＤが付随される当該報知メッセージを受信する。
【０１２３】
一つの実施形態において、さらに、受信モジュール６２０は、当該端末機器と当該ネットワーク機器との間の遅延を指示するタイミングアドバンス（ＴＡ）値を取得する。より詳しくは、当該送信モジュールが、当該ＴＡ値に基づき、当該複数のビームを用いて当該第１の信号を送信する。
【０１２４】
したがって、本実施例による端末機器は、複数のビームを用いて、ネットワーク機器が目的ビームを決定するための第１の信号を送信し、且つネットワーク機器により送信された、決定された目的ビームを端末機器に報知するための報知メッセージを受信し、当該目的ビームを用いて第２の信号を送信することにより、端末機器が複数のビームを用いて信号を送信することで、ネットワーク機器は端末機器が信号を伝送するためのビームフォーミング利得の高い目的ビームを決定するため、信号の伝送品質が向上する。
【０１２５】
図７は、本発明の実施例によるネットワーク機器７００を概略的に示すブロック図である。ネットワーク機器７００は、受信モジュール７１０と、処理モジュール７２０と、送信モジュール７３０とを含み、
受信モジュール７１０は、端末機器が複数のビームを用いて送信した第１の信号を受信し、
処理モジュール７２０は、当該受信モジュールにより受信される第１の信号に基づき、当該複数のビームにおいて目的ビームを決定し、
送信モジュール７３０は、ネットワーク機器により決定された当該目的ビームを当該端末機器に報知するための報知メッセージを端末機器に送信する。
【０１２６】
一つの実施形態において、当該ネットワーク機器が、端末機器が複数のビームを用いて送信した第１の信号を受信する前に、受信モジュール７１０は、当該端末機器により送信された、端末機器に対応可能なビーム数Ｎ（ただしＮは２以上の正の整数である）を指示する第１の指示情報を受信し、処理モジュール７２０は、当該第１の指示情報に基づき、Ｎ個のビームにおけるそれぞれのビームに対してビーム識別ＩＤを設定し、送信モジュール７３０は、当該Ｎ個のビームのビームＩＤが付随される第２の指示情報を当該端末機器に送信する。
【０１２７】
一つの実施形態において、処理モジュール７２０は、ビームＩＤと時間周波数リソースとのマッピング関係を決定し、詳しくは、送信モジュール７３０は、ビームＩＤと時間周波数リソースとのマッピング関係も付随される第２の指示情報を端末機器に送信する。
【０１２８】
一つの実施形態において、当該第１の信号にビームのビームＩＤが付随される。より詳しくは、処理モジュール７２０が、当該第１の信号に基づき、当該複数のビームのビームＩＤにおいて当該目的ビームのビームＩＤを決定し、送信モジュール７３０が、当該目的ビームのビームＩＤが付随される報知メッセージを当該端末機器に送信する。
【０１２９】
一つの実施形態において、さらに、送信モジュール７３０は、当該ネットワーク機器と当該端末機器との間の遅延を指示するＴＡ値を端末機器に送信する。
【０１３０】
したがって、本実施例によるネットワーク機器において、端末機器が複数のビームを用いて送信した第１の信号を受信し、当該第１の信号に基づき目的ビームを決定し、且つ決定された目的ビームを端末機器に報知するための報知メッセージを端末機器に送信して、端末機器が当該目的ビームを用いて第２の信号を送信することにより、ネットワーク機器は端末機器が複数のビームを用いて送信した第１の信号に基づき、ビームフォーミング利得の高い目的ビームを決定し、端末機器は当該目的ビームに基づき第２の信号を送信するため、信号の伝送品質が向上する。
【０１３１】
図８は、本発明の実施例による端末機器８００を概略的に示すブロック図である。端末機器８００は、送信モジュール８１０と、受信モジュール８２０とを含み、
送信モジュール８１０は、当該端末機器に対応可能なビーム数Ｎ（ただしＮは１以上の正の整数である）を指示する第１の指示情報をネットワーク機器に送信し、
受信モジュール８２０は、当該ネットワーク機器により送信された、当該ネットワーク機器がＮ個のビームに対して設定したビーム識別ＩＤが付随される第２の指示情報を受信する。
さらに、送信モジュール８１０は、当該第２の指示情報に基づき、当該Ｎ個のビームを用いて第１の信号を送信する。
【０１３２】
一つの実施形態において、当該第２の指示情報には、ビームＩＤと時間周波数リソースとのマッピング関係も付随される。
【０１３３】
一つの実施形態において、さらに、受信モジュール８２０は、端末機器とネットワーク機器との間の遅延を指示するタイミングアドバンス（ＴＡ）値を取得する。より詳しくは、送信モジュール８１０が、当該ＴＡ値に基づき、当該Ｎ個のビームを用いて第１の信号を送信する。
【０１３４】
したがって、本実施例による端末機器において、端末機器に対応可能なビーム数Ｎをネットワーク機器に報告して、ネットワーク機器がＮ個のビームに対してビームＩＤを設定し、且つ当該ビームＩＤが付随される第２の指示情報を端末機器に送信し、端末機器がビームＩＤに基づきネットワーク機器に第１の信号を送信することにより、端末機器はネットワーク機器の指示に基づき、端末機器に対応可能なビーム数で信号を送信するため、ビーム利用率が向上する。
【０１３５】
図９は、本発明の実施例によるネットワーク機器９００を概略的に示すブロック図である。ネットワーク機器９００は、受信モジュール９１０と、処理モジュール９２０と、送信モジュール９３０とを含み、
受信モジュール９１０は、端末機器により送信された、当該端末機器に対応可能なビーム数Ｎ（ただしＮは１以上の正の整数である）を指示する第１の指示情報を受信し、
処理モジュール９２０は、Ｎ個のビームにおけるそれぞれのビームに対してビーム識別ＩＤを設定し、
送信モジュール９３０は、当該ビームＩＤが付随される第２の指示情報を端末機器に送信する。
【０１３６】
一つの実施形態において、さらに、処理モジュール９２０はビームＩＤと時間周波数リソースとのマッピング関係を決定し、より詳しくは、送信モジュール９３０がビームＩＤと時間周波数リソースとの当該マッピング関係も付随される第２の指示情報を端末機器に送信する。
【０１３７】
一つの実施形態において、さらに、送信モジュール９３０は、ネットワーク機器と端末機器との間の遅延を指示するＴＡ値を端末機器に送信する。
【０１３８】
したがって、本実施例によるネットワーク機器において、端末機器の報告した対応可能なビーム数Ｎを受信し、Ｎ個のビームに対してビームＩＤを設定し、且つ当該ビームＩＤが付随される第１の指示情報を端末機器に送信し、端末機器がビームＩＤに基づきネットワーク機器に第１の信号を送信することにより、端末機器はネットワーク機器の指示に基づき、端末機器に対応可能なビーム数で信号を送信するため、ビーム利用率が向上する。
【０１３９】
図１０は、本発明の実施例による信号送信システム１０００を概略的に示すブロック図である。システム１０００は、上記実施例による端末機器６００と、上記実施例によるネットワーク機器７００とを含む。
【０１４０】
図１１は、本発明の実施例による信号送信システム１１００を概略的に示すブロック図である。システム１１００は、上記実施例による端末機器８００と、上記実施例によるネットワーク機器９００とを含む。
【０１４１】
図１２は、本発明の実施例による端末機器の構造を示す。当該端末機器は、端末機器における各モジュールおよび装置に対して管理およびディスパッチを行う少なくとも１つのプロセッサ１２０２を含み、例えば、演算および処理能力を備える汎用プロセッサＣＰＵ、デジタル信号プロセッサ（ＤＳＰ）、特定用途向け集積回路（ＡＳＩＣ）、市販されるプログラマブルゲートアレイ（ＦＰＧＡ）等である。少なくとも１つのネットワークインタフェース１２０５またはその他の通信インタフェースと、メモリ１２０６と、少なくとも１つのバスシステム１２０３とをさらに含む。端末機器の各構成要素はバスシステム１２０３によって相互に接続される。バスシステム１２０３はデータバス、電源バス、制御バスおよび状態信号バス等を含んでもよいが、説明の都合上、図１２には様々なバスを一律バスシステム１２０３として表示する。
【０１４２】
上記実施例に係る方法は、プロセッサ１２０２に用いるか、またはメモリ１２０６に記憶されるコンピュータプログラムなど実行可能モジュールを実行するために用いることができる。メモリ１２０６は、高速ランダムアクセスメモリ（Ｒａｎｄｏｍ Ａｃｃｅｓｓ Ｍｅｍｏｒｙ、ＲＡＭ）を含み、または不揮発性メモリ（ｎｏｎ−ｖｏｌａｔｉｌｅ ｍｅｍｏｒｙ）を含んでもよい。メモリは読み出し専用メモリおよびランダムアクセスメモリを含んでもよく、プロセッサに必要なシグナリングやデータ、プログラム等を提供する。メモリの一部には不揮発性ランダムアクセスメモリ（ＮＶＲＡＭ）が含まれてもよい。少なくとも１つの（有線または無線形式の）ネットワークインタフェース１２０５によって少なくとも１つのその他のネットワーク要素との通信接続を実現する。
【０１４３】
いくつかの実施形態において、メモリ１２０６にプログラム１２０６１が記憶され、プロセッサ１２０２はプログラム１２０６１を実行することで、以下の動作を実行する。
ネットワークインタフェース１２０５において、複数のビームを用いて、ネットワーク機器が当該複数のビームにおいて目的ビームを決定するための第１の信号を送信し、
ネットワークインタフェース１２０５において、当該ネットワーク機器により送信された、当該ネットワーク機器により決定された目的ビームを当該端末機器に報知するための報知メッセージを受信し、
ネットワークインタフェース１２０５において、当該目的ビームを用いて第２の信号を送信する。
【０１４４】
なお、当該端末機器は、上記実施例に係る端末機器であってもよく、且つ上記方法に係る実施例における端末機器に対応する各ステップおよび／またはプロセスを実行するために用いることができる。
【０１４５】
本実施例に係る上記発明において、複数のビームを用いて、ネットワーク機器が目的ビームを決定するための第１の信号を送信し、且つネットワーク機器により送信された、決定された目的ビームを端末機器に報知するための報知メッセージを受信し、当該目的ビームを用いて第２の信号を送信することにより、端末機器は複数のビームを用いて信号を送信して、ネットワーク機器は端末機器が信号を伝送するためのビームフォーミング利得の高い目的ビームを決定するため、信号の伝送品質が向上する。
【０１４６】
図１３は、本発明の実施例によるネットワーク機器の構造を示す。当該ネットワーク機器は、ネットワーク機器における各モジュールおよび装置に対して管理およびディスパッチを行う少なくとも１つのプロセッサ１３０２を含み、例えば、演算および処理能力を備える汎用プロセッサＣＰＵ、デジタル信号プロセッサ（ＤＳＰ）、特定用途向け集積回路（ＡＳＩＣ）、市販されるプログラマブルゲートアレイ（ＦＰＧＡ）等である。少なくとも１つのネットワークインタフェース１３０５またはその他の通信インタフェースと、メモリ１３０６と、少なくとも１つのバスシステム１３０３とをさらに含む。ネットワーク機器の各構成要素はバスシステム１３０３によって相互に接続される。バスシステム１３０３はデータバス、電源バス、制御バスおよび状態信号バス等を含んでもよいが、説明の都合上、図１３には様々なバスを一律バスシステム１３０３として表示する。
【０１４７】
上記実施例に係る方法は、プロセッサ１３０２に用いるか、またはメモリ１３０６に記憶されるコンピュータプログラムなど実行可能モジュールを実行するために用いることができる。メモリ１３０６は、高速ランダムアクセスメモリ（Ｒａｎｄｏｍ Ａｃｃｅｓｓ Ｍｅｍｏｒｙ、ＲＡＭ）を含み、または不揮発性メモリ（ｎｏｎ−ｖｏｌａｔｉｌｅ ｍｅｍｏｒｙ）を含んでもよい。メモリは読み出し専用メモリおよびランダムアクセスメモリを含んでもよく、プロセッサに必要なシグナリングやデータ、プログラム等を提供する。メモリの一部には不揮発性ランダムアクセスメモリ（ＮＶＲＡＭ）が含まれてもよく、少なくとも１つの（有線または無線形式の）ネットワークインタフェース１３０５によって少なくとも１つのその他のネットワーク要素との通信接続を実現する。
【０１４８】
いくつかの実施例において、メモリ１３０６にプログラム１３０６１が記憶され、プロセッサ１３０２はプログラム１３０６１を実行することで、以下の動作を実行する。
ネットワークインタフェース１３０５によって、端末機器が複数のビームを用いて送信した第１の信号を受信し、当該ネットワーク機器が当該第１の信号に基づき当該複数のビームにおいて目的ビームを決定し、
ネットワークインタフェース１３０５によって、当該ネットワーク機器により決定された当該目的ビームを当該端末機器に報知するための報知メッセージを端末機器に送信する。
【０１４９】
なお、当該ネットワーク機器は、上記実施例に係るネットワーク機器であってもよく、且つ上記方法に関する実施例におけるネットワーク機器に対応する各ステップおよび／またはプロセスを実行するために用いることができる。
【０１５０】
本実施例に係る上記発明において、端末機器が複数のビームを用いて送信した第１の信号を受信し、当該第１の信号に基づき目的ビームを決定し、且つ決定された目的ビームを端末機器に報知するための報知メッセージを端末機器に送信して、端末機器が当該目的ビームを用いて第２の信号を送信することにより、ネットワーク機器は端末機器が複数のビームを用いて送信した第１の信号に基づき、ビームフォーミング利得の高い目的ビームを決定して第２の信号を送信するため、信号の伝送品質が向上する。
【０１５１】
図１４は、本発明の実施例による端末機器の構造を示す。当該ネットワーク機器は、ネットワーク機器における各モジュールおよび装置に対して管理およびディスパッチを行う少なくとも１つのプロセッサ１４０２を含み、例えば、演算および処理能力を備える汎用プロセッサＣＰＵ、デジタル信号プロセッサ（ＤＳＰ）、特定用途向け集積回路（ＡＳＩＣ）、市販されるプログラマブルゲートアレイ（ＦＰＧＡ）等である。少なくとも１つのネットワークインタフェース１４０５またはその他の通信インタフェースと、メモリ１４０６と、少なくとも１つのバスシステム１４０３とをさらに含む。ネットワーク機器の各構成要素はバスシステム１４０３によって相互に接続される。バスシステム１４０３はデータバス、電源バス、制御バスおよび状態信号バス等を含んでもよいが、説明の都合上、図１４には様々なバスを一律バスシステム１４０３として表示する。
【０１５２】
上記実施例に係る方法は、プロセッサ１４０２に用いるか、またはメモリ１４０６に記憶されるコンピュータプログラムなど実行可能モジュールを実行するために用いることができる。メモリ１４０６は、高速ランダムアクセスメモリ（Ｒａｎｄｏｍ Ａｃｃｅｓｓ Ｍｅｍｏｒｙ、ＲＡＭ）を含み、または不揮発性メモリ（ｎｏｎ−ｖｏｌａｔｉｌｅ ｍｅｍｏｒｙ）を含んでもよい。メモリは読み出し専用メモリおよびランダムアクセスメモリを含んでもよく、プロセッサに必要なシグナリングやデータ、プログラム等を提供する。メモリの一部には不揮発性ランダムアクセスメモリ（ＮＶＲＡＭ）が含まれてもよく、少なくとも１つの（有線または無線形式の）ネットワークインタフェース１４０５によって少なくとも１つのその他のネットワーク要素との通信接続を実現する。
【０１５３】
いくつかの実施例において、メモリ１４０６にプログラム１４０６１が記憶され、プロセッサ１４０２はプログラム１４０６１を実行することで、以下の動作を実行する。
ネットワークインタフェース１４０５によって、端末機器に対応可能なビーム数Ｎ（ただしＮは１以上の正の整数である）を指示する第１の指示情報をネットワーク機器に送信し、
ネットワークインタフェース１４０５によって、当該ネットワーク機器により送信された、当該ネットワーク機器がＮ個のビームに対して設定したビーム識別ＩＤが付随される第２の指示情報を受信し、
ネットワークインタフェース１４０５によって、当該第２の指示情報に基づき、当該Ｎ個のビームを用いて第１の信号を送信する。
【０１５４】
なお、当該端末機器は、上記実施例に係る端末機器であってもよく、且つ上記方法に関する実施例における端末機器に対応する各ステップおよび／またはプロセスを実行するために用いることができる。
【０１５５】
本実施例に係る上記発明において、端末機器に対応可能なビーム数Ｎをネットワーク機器に報告して、ネットワーク機器がＮ個のビームに対してビームＩＤを設定し、且つ当該ビームＩＤが付随される第１の指示情報を端末機器に送信し、端末機器がビームＩＤに基づきネットワーク機器に第２の信号を送信することにより、端末機器はネットワーク機器の指示に基づき、端末機器に対応可能なビーム数で信号を送信するため、ビーム利用率が向上する。
【０１５６】
図１５は、本発明の実施例によるネットワーク機器の構造を示す。当該ネットワーク機器は、ネットワーク機器における各モジュールおよび装置に対して管理およびディスパッチを行う少なくとも１つのプロセッサ１５０２を含み、例えば、演算および処理能力を備える汎用プロセッサＣＰＵ、デジタル信号プロセッサ（ＤＳＰ）、特定用途向け集積回路（ＡＳＩＣ）、市販されるプログラマブルゲートアレイ（ＦＰＧＡ）等である。少なくとも１つのネットワークインタフェース１５０５またはその他の通信インタフェースと、メモリ１５０６と、少なくとも１つのバスシステム１５０３とをさらに含む。ネットワーク機器の各構成要素はバスシステム１５０３によって相互に接続される。バスシステム１５０３はデータバス、電源バス、制御バスおよび状態信号バス等を含んでもよいが、説明の都合上、図１５には様々なバスを一律バスシステム１５０３として表示する。
【０１５７】
上記実施例に係る方法は、プロセッサ１５０２に用いるか、またはメモリ１５０６に記憶されるコンピュータプログラムなど実行可能モジュールを実行するために用いることができる。メモリ１５０６は、高速ランダムアクセスメモリ（Ｒａｎｄｏｍ Ａｃｃｅｓｓ Ｍｅｍｏｒｙ、ＲＡＭ）を含み、または不揮発性メモリ（ｎｏｎ−ｖｏｌａｔｉｌｅ ｍｅｍｏｒｙ）を含んでもよい。メモリは読み出し専用メモリおよびランダムアクセスメモリを含んでもよく、プロセッサに必要なシグナリングやデータ、プログラム等を提供する。メモリの一部には不揮発性ランダムアクセスメモリ（ＮＶＲＡＭ）が含まれてもよく、少なくとも１つの（有線または無線形式の）ネットワークインタフェース１５０５によって少なくとも１つのその他のネットワーク要素との通信接続を実現する。
【０１５８】
いくつかの実施例において、メモリ１５０６にプログラム１５０６１が記憶され、プロセッサ１５０２はプログラム１５０６１を実行することで、以下の動作を実行する。
ネットワークインタフェース１５０５によって、端末機器により送信された、端末機器に対応可能なビーム数Ｎ（ただしＮは１以上の正の整数である）を指示する第１の指示情報を受信し、
ネットワークインタフェース１５０５によって、Ｎ個のビームにおけるそれぞれのビームに対してビーム識別ＩＤを設定し、
ネットワークインタフェース１５０５によって、当該ビームＩＤが付随される第２の指示情報を当該端末機器に送信する。
【０１５９】
なお、当該ネットワーク機器は、上記実施例に係るネットワーク機器であってもよく、且つ上記方法に関する実施例におけるネットワーク機器に対応する各ステップおよび／またはプロセスを実行するために用いることができる。
【０１６０】
本実施例に係る上記発明において、端末機器の報告する対応可能なビーム数Ｎに基づき、Ｎ個のビームに対してビームＩＤを設定し、且つ当該ビームＩＤが付随される第１の指示情報を端末機器に送信し、端末機器がビームＩＤに基づきネットワーク機器に第１の信号を送信することにより、端末機器はネットワーク機器の指示に基づき、端末機器に対応可能なビーム数で信号を送信するため、ビーム利用率が向上する。
【０１６１】
本発明の実施例はさらに、コンピュータ記憶媒体を提供する。当該コンピュータ記憶媒体には上記任意の方法の実行を指示するためのプログラムコードが記憶される。
【０１６２】
一つの実施形態において、より詳しくは、当該記憶媒体がメモリ１２０６、１３０６、１４０６または１５０６であってもよい。
【０１６３】
なお、本明細書で使用される「および／または」という用語は、関連する対象の相関関係を説明するためのものであり、３種類の関係が存在することを意味する。例えば、Ａおよび／またはＢは、Ａが単独で存在する場合、ＡおよびＢが同時に存在する場合、Ｂが単独で存在する場合を表すことができる。本明細書で使用される記号「／」は一般的に、それによって繋がる対象が「または」という関係にあることを表す。
【０１６４】
本発明の様々な実施例において、上記各ステップにつけた番号は実行される順序を限定するものではなく、各ステップの実行される順序はその機能および内部倫理により決まるため、本実施例を実施するプロセスに対して限定を加えるものではない。
【０１６５】
当業者にとって自明なように、本明細書に開示されている実施例に記載の各例示的なユニットやアルゴリズムおよびステップは、電子ハードウェア、または電子ハードウェアおよびコンピュータソフトウェアの組み合わせにより実施することができる。これらの機能をハードウェアとして実行するかソフトウェアとして実行するかは、該当発明の特定の用途および設計上の制限条件により決まる。当業者は特定の用途ごとに異なる方法を用いて該当機能を実施することができるが、このような実施は、本発明の範囲を逸脱するものではない。
【０１６６】
当業者にとって自明なように、本明細書に記載のシステム、機器およびユニットの具体的な動作プロセスについては、上記方法に関する実施例の対応するプロセスを参照されてもよいため、詳細な説明が省略される。
【０１６７】
本発明のいくつかの実施例に係るシステム、機器および方法は、その他の形態により実施することもできる。例えば、本明細書に記載の装置に関する実施例は、例示的なものに過ぎない。上述したとおり各ユニットを設定しているのは、論理機能上の分割に過ぎず、別の形態として分割して実施することもでき、例えば、複数のユニットまたは部品を別のシステムに組み合わせもしくは集積させたり、または一部の特徴を反映させず、実行しなかったりしてもよい。説明される直接的な接続または通信接続など部品間の接続は、いくつかのインタフェース、装置またはユニットを用いる間接的接続または通信接続とすることができ、電気的形態、機械的形態またはその他の形態であってもよい。
【０１６８】
分離される部品として説明される上記ユニットは、物理的に分離しても、分離しなくてもよい。ユニットとして示される部品は、物理的なユニットでも、物理的なユニットでなくてもよい。すなわち、同一の場所に設けられても、複数のネットワークユニットに配置されてもよい。必要に応じて、一部のユニットだけを用いるか、または全てのユニットを使用して当該発明の目的を達成することができる。
【０１６９】
また、本発明の実施例において、各機能ユニットが１つの処理ユニットに集積されてもよいが、各ユニットが物理的な部品として単独で存在するか、または２つ以上のユニットが１つのユニットに集積されてもよい。
【０１７０】
ソフトウェアによる機能ユニットの形で上記機能を実施し、且つ独立する製品として販売または使用する場合に、コンピュータ読み取り可能な記憶媒体に記憶されてもよい。これにより、本願に係る発明の趣旨、すなわち従来技術に対して貢献する発明または当該発明の一部は、ソフトウェア製品の形で表現されてもよい。当該コンピュータソフトウェア製品は、記憶媒体に記憶され、且つパソコン、サーバ、またはネットワーク機器等のコンピュータデバイスに本発明の各実施例による方法の全てのステップまたはその一部を実行させるためのいくつかのコマンドを含む。前記記憶媒体は、ＵＳＢフラッシュドライブ、モバイルハードディスク、読み出し専用メモリ（Ｒｅａｄ−Ｏｎｌｙ Ｍｅｍｏｒｙ、略称ＲＯＭ）、ランダムアクセスメモリ（Ｒａｎｄｏｍ Ａｃｃｅｓｓ Ｍｅｍｏｒｙ、略称ＲＡＭ）、磁気ディスクまたはコンパクトディスクなどプロクラムコードを記憶可能な様々な媒体を含む。
【０１７１】
本明細書に記載される内容は、本発明の具体的な実施形態に過ぎず、本発明の保護範囲はこれだけに限定されない。当業者が本発明に開示されている技術範囲において容易に想到し得る変更や置換などは、いずれも本発明の保護範囲に含まれる。したがって、本発明の保護範囲は、特許請求の範囲に記載される内容に準拠する。
【手続補正２】
【補正対象書類名】特許請求の範囲
【補正対象項目名】全文
【補正方法】変更
【補正の内容】
【特許請求の範囲】
【請求項１】
信号送信方法であって、
端末機器が、複数のビームを用いて、ネットワーク機器が前記複数のビームにおいて目的ビームを決定するための第１の信号を送信するステップと、
前記端末機器が、前記ネットワーク機器により送信された、前記ネットワーク機器により決定された前記目的ビームを前記端末機器に報知するための報知メッセージを受信するステップと、
前記端末機器が、前記目的ビームを用いて第２の信号を送信するステップと
を含むことを特徴とする信号送信方法。
【請求項２】
前記方法は、
前記端末機器が、前記端末機器に対応可能なビーム数Ｎ（ただしＮは２以上の正の整数である）を指示する第１の指示情報を前記ネットワーク機器に送信するステップと、
前記端末機器が、前記ネットワーク機器により送信された、前記ネットワーク機器がＮ個のビームに対して設定したビーム識別ＩＤが付随される第２の指示情報を受信するステップと
をさらに含む、
ことを特徴とする請求項１に記載の方法。
【請求項３】
前記端末機器が複数のビームを用いて第１の信号を送信する前記ステップは、前記端末機器が前記ビームＩＤに基づき、前記Ｎ個のビームを用いて前記第１の信号を送信することを含む、
ことを特徴とする請求項２に記載の方法。
【請求項４】
前記第２の指示情報には、ビームＩＤと時間周波数リソースとのマッピング関係も付随される、
ことを特徴とする請求項２に記載の方法。
【請求項５】
前記端末機器が前記ビームＩＤに基づき、前記Ｎ個のビームを用いて前記第１の信号を送信するステップは、前記端末機器が前記ビームＩＤおよびビームＩＤと時間周波数リソースとの前記マッピング関係に基づき、前記Ｎ個のビームを用いて前記第１の信号を送信することを含む、
ことを特徴とする請求項４に記載の方法。
【請求項６】
前記第１の信号には、ビームのビームＩＤが付随され、
前記端末機器がネットワーク機器により送信された報知メッセージを受信する前記ステップは、前記端末機器が、前記ネットワーク機器により送信された、前記目的ビームのビームＩＤが付随される前記報知メッセージを受信することを含む、
ことを特徴とする請求項１に記載の方法。
【請求項７】
前記方法は、前記端末機器が、前記端末機器と前記ネットワーク機器との間の遅延を指示するためのタイミングアドバンス（ＴＡ）値を取得するステップをさらに含む、
ことを特徴とする請求項１〜４のいずれか１項に記載の方法。
【請求項８】
前記端末機器が複数のビームを用いて第１の信号を送信する前記ステップは、前記端末機器が前記ＴＡ値に基づき、前記複数のビームを用いて前記第１の信号を送信することを含む、
ことを特徴とする請求項７に記載の方法。
【請求項９】
前記方法はさらに、前記端末機器がネットワーク機器により送信された、ネットワーク機器が決定した前記目的ビームを前記端末機器に報知するためのハンドオーバコマンドを受信することを含む、
ことを特徴とする請求項１〜８のいずれか１項に記載の方法。
【請求項１０】
信号送信方法であって、
端末機器が、前記端末機器に対応可能なビーム数Ｎ（ただしＮは１以上の正の整数である）を指示する第１の指示情報をネットワーク機器に送信するステップと、
前記端末機器が、前記ネットワーク機器により送信された、前記ネットワーク機器がＮ個のビームに対して設定したビーム識別ＩＤが付随される第２の指示情報を受信するステップと、
前記端末機器が、前記第２の指示情報に基づき、前記Ｎ個のビームを用いて第１の信号を送信するステップと
を含むことを特徴とする信号送信方法。
【請求項１１】
前記第２の指示情報には、ビームＩＤと時間周波数リソースとのマッピング関係も付随されることを特徴とする請求項１０に記載の方法。
【請求項１２】
前記端末機器が、前記第２の指示情報に基づき、前記Ｎ個のビームを用いて前記第１の信号を送信するステップは、前記端末機器が前記ビーム識別ＩＤおよびビームＩＤと時間周波数リソースとの前記マッピング関係に基づき、前記Ｎ個のビームを用いて前記第１の信号を送信することを含む、
ことを特徴とする請求項１１に記載の方法。
【請求項１３】
前記方法は、前記端末機器が、前記端末機器と前記ネットワーク機器との間の遅延を指示するためのタイミングアドバンス（ＴＡ）値を取得するステップをさらに含む、
ことを特徴とする請求項１０〜１２のいずれか１項に記載の方法。
【請求項１４】
前記端末機器が前記Ｎ個のビームを用いて第１の信号を送信する前記ステップは、前記端末機器が前記ＴＡ値に基づき、前記Ｎ個のビームを用いて第１の信号を送信することを含む、
ことを特徴とする請求項１３に記載の方法。
【請求項１５】
端末機器であって、
メモリ、プロセッサ、および前記メモリに格納される、前記プロセッサ上で実行可能なメモリコンピュータプログラムと、を含み、
前記プロセッサは、前記コンピュータプログラムを実行する時、請求項１〜１４のいずれか１項に記載の方法を実行するのに用いられる、
ことを特徴とする端末機器。
【手続補正３】
【補正対象書類名】図面
【補正対象項目名】全図
【補正方法】変更
【補正の内容】
【図１】
2020502831.tif 000018
【図２】
2020502831.tif 000019
【図３】
2020502831.tif 000020
【図４】
2020502831.tif 000021
【図５】
2020502831.tif 000022
【図６】
2020502831.tif 000023
【図７】
2020502831.tif 000024
【図８】
2020502831.tif 000025
【図９】
2020502831.tif 000026
【図１０】
2020502831.tif 000027
【図１１】
2020502831.tif 000028
【図１２】
2020502831.tif 000029
【図１３】
2020502831.tif 000030
【図１４】
2020502831.tif 000031
【図１５】
2020502831.tif 000032
【国際調査報告】
2020502831.tif 000033
2020502831.tif 000034
2020502831.tif 000035
2020502831.tif 000036